(57)【要約】  本発明は、電気式の手動工作機械（２０）または集塵機（７０，８７０）の形態の電気器具とともに使用するためのエネルギー蓄積器モジュール（４０）に関し、エネルギー蓄積器モジュール（４０）は、エネルギー蓄積器モジュール（４０）から離れて配置される外部通信装置（１００）との間で、特に集塵機（７０、８７０）との間で、ワイヤレス通信をするためのワイヤレス通信インターフェース（６０、６０Ｃ）と、電気式のエネルギー蓄積器（４２）が、特に電気式の再充電可能な少なくとも１つの蓄積器セル（４３）を備える蓄積器セル構造（４３）が中に配置され、電気器具とエネルギー蓄積器モジュール（４０）を取外し可能に結合するための器具インターフェースが設けられたモジュールハウジング（４１）とを有し、器具インターフェースは電気器具に電気的なエネルギー供給をするための電気式の器具供給接点（５２）を有する。エネルギー蓄積器モジュール（４０）の器具インターフェースは、器具供給接点（５２）とは別個のデータインターフェース、特にバスインターフェースを電気器具とのデータ通信のために有し、エネルギー蓄積器モジュール（４０）はデータインターフェースを介して電気器具から受け取った受信情報（ＥＭ）に依存して送信信号（ＳＭ）をワイヤレス通信インターフェース（６０）を介して外部通信装置（１００）へ送信するために構成され、および／またはワイヤレス通信インターフェース（６０）を介して外部通信装置（１００）から受信された受信信号（ＥＳＩ）に依存して電気器具に送信情報（ＳＭ）を送信するために構成される。
2020522969.tif 000002
【特許請求の範囲】
【請求項１】
電気式の手動工作機械または集塵機（７０，８７０）の形態の電気器具とともに使用するためのエネルギー蓄積器モジュール（４０）であって、前記エネルギー蓄積器モジュール（４０）は、前記エネルギー蓄積器モジュール（４０）から離れて配置される外部通信装置（１００）との間で、特に集塵機（７０）との間で、ワイヤレス通信をするためのワイヤレス通信インターフェース（６０）と、電気式のエネルギー蓄積器（４２）が、特に電気式の再充電可能な少なくとも１つの蓄積器セル（４３）を備える蓄積器セル構造が中に配置され、前記電気器具と前記エネルギー蓄積器モジュール（４０）を取外し可能に結合するための器具インターフェース（５０）が設けられたモジュールハウジング（４１）とを有し、前記器具インターフェース（５０）は前記電気器具に電気的なエネルギー供給をするための電気式の器具供給接点（５２）を有する、そのようなエネルギー蓄積器モジュールにおいて、前記エネルギー蓄積器モジュール（４０）の前記器具インターフェース（５０）は前記器具供給接点（５２）とは別個のデータインターフェース（５４）、特にバスインターフェースを前記電気器具とのデータ通信のために有し、前記エネルギー蓄積器モジュール（４０）は前記データインターフェース（５４）を介して前記電気器具から受け取った受信情報（ＥＭ）に依存して送信信号（ＳＩＩ）を前記ワイヤレス通信インターフェース（６０）を介して前記外部通信装置（１００）へ送信するために構成され、および／または前記ワイヤレス通信インターフェース（６０）を介して前記外部通信装置（１００）から受信された受信信号（ＥＳＩ）に依存して前記電気器具に送信情報（ＳＭ）を送信するために構成されることを特徴とするエネルギー蓄積器モジュール。
【請求項２】
前記受信情報（ＥＭ）は前記エネルギー蓄積器モジュール（４０）と結合されている前記電気器具の動作状態または動作準備完了を表示する少なくとも１つの動作情報、特に切換情報を含み、前記エネルギー蓄積器モジュール（４０）は動作情報に依存する送信情報（ＳＭ）を、特に制御信号を、前記ワイヤレス通信インターフェース（６０）を介して前記外部通信装置（１００）の、特に集塵機（７０，８７０）のスイッチオンまたはスイッチオフのために送信するように構成され、および／または前記外部通信装置（１００）との通信接続を、特に制御接続（Ｓ１，Ｓ２）を成立させるためのログオンメッセージ（４４０）を送信するように構成されることを特徴とする、請求項１に記載のエネルギー蓄積器モジュール。
【請求項３】
前記電気器具の動作情報または動作準備完了は電気式の駆動モータ（２２）および／または前記電気器具を制御するための器具制御装置（４６）がスイッチオンされているか否かに依存し、および／または前記エネルギー蓄積器モジュール（４０）と前記電気器具の間の通信のための、特にバス通信のためのデータインターフェース（５４）が作動化していること、および／または機能性があることに依存することを特徴とする、請求項２に記載のエネルギー蓄積器モジュール（４０）。
【請求項４】
前記動作情報は、前記器具制御装置（４６）または前記電気式の駆動モータ（２２）がスイッチオンされるときの初期化通信の枠内で前記エネルギー蓄積器モジュール（４０）と前記電気器具の間で伝送される少なくとも１つの動作準備完了情報を、特にバスメッセージを含むことを特徴とする、請求項２または３に記載のエネルギー蓄積器モジュール（４０）。
【請求項５】
前記動作情報は、前記エネルギー蓄積器モジュール（４０）を特徴づける少なくとも１つの情報が、たとえば電気的な特性量が、前記電気器具によって前記エネルギー蓄積器モジュールに照会されることを含むことを特徴とする、請求項２から４のいずれか１項に記載のエネルギー蓄積器モジュール。
【請求項６】
前記動作情報は電圧信号（ＵＢ１，ＵＢ２）を含み、またはこれによって形成され、前記電圧信号は、前記データインターフェース（５４）で前記エネルギー蓄積器モジュールにより前記電気器具のために提供される、および／または前記電気器具により前記エネルギー蓄積器モジュール（４０）のために提供される供給電圧に依存し、および／または前記動作情報は前記データインターフェース（５４）のバス回線のクロック信号（ＣＬ）を含み、またはこれによって形成されることを特徴とする、請求項２から５のいずれか１項に記載のエネルギー蓄積器モジュール（４０）。
【請求項７】
前記エネルギー蓄積器モジュールは、前記器具インターフェース（５０）を介して前記エネルギー蓄積器モジュール（４０）と結合されている器具がエネルギー蓄積器の電気充電のために意図される充電器具（２２０）であるのか、それとも前記エネルギー蓄積器モジュール（４０）により電気エネルギーの供給を受けるべき器具であるのかに依存して、または前記器具インターフェース（５０）が不使用であるか否かに依存して、前記外部通信装置（１００）との通信を作動化または不作動化するために構成されることを特徴とする、請求項１から６のいずれか１項に記載のエネルギー蓄積器モジュール。
【請求項８】
前記エネルギー蓄積器モジュールは、充電器具（２２０）について典型的な情報に依存して、および／または前記エネルギー蓄積器モジュール（４０）を充電するために必要な少なくとも１つの情報の前記エネルギー蓄積器モジュール（４０）での照会に依存して、および／または前記エネルギー蓄積器モジュール（４０）の充電に適さない器具としての前記電気器具に依存して、および／または前記エネルギー蓄積器モジュールにより電気エネルギーの供給を受けるべき器具としての前記電気器具に依存して、前記外部通信装置（１００）との通信を作動化または不作動化および／または適合化するために構成されることを特徴とする、請求項１から７のいずれか１項に記載のエネルギー蓄積器モジュール。
【請求項９】
前記エネルギー蓄積器モジュールは前記エネルギー蓄積器モジュール（４０）と前記外部通信装置（１００）の間のワイヤレス通信および／または前記電気器具とのデータ通信に関わる少なくとも１つの通信情報を出力するために特に光学式および／または音響式の表示装置を有することを特徴とする、請求項１から８のいずれか１項に記載のエネルギー蓄積器モジュール（４０）。
【請求項１０】
前記表示装置は第１の動作モードにあるとき前記エネルギー蓄積器モジュール（４０）の少なくとも１つの電気的な特性量を、特に電気式のエネルギー蓄積器の充電状態を出力するように構成され、第２の動作モードにあるとき少なくとも１つの通信情報を出力するように構成されることを特徴とする、請求項９に記載のエネルギー蓄積器モジュール。
【請求項１１】
前記電気器具の受信情報（ＥＭ）を参照して生起される前記送信信号（ＳＩＩ）は前記外部通信装置（１００）を、特に集塵機（７０，８７０）をスイッチオンおよび／またはスイッチオフするための少なくとも１つの切換信号、および／または前記外部通信装置（１００）を、特に集塵機（７０，８７０）をコンフィグレーションするための少なくとも１つのコンフィグレーションメッセージを、前記電気器具を特徴づける量に依存して含むことを特徴とする、請求項１から１０のいずれか１項に記載のエネルギー蓄積器モジュール。
【請求項１２】
少なくとも１つの前記コンフィグレーションメッセージは前記外部通信装置（１００）の作業設定を、特に吸引出力を、コンフィグレーションするために意図されることを特徴とする、請求項１１に記載のエネルギー蓄積器モジュール（４０）。
【請求項１３】
前記エネルギー蓄積器モジュール（４０）に接続された前記電気器具が集塵機（７０，８７０）と協同作用するように意図されて構成され、前記集塵機（７０，８７０）は前記外部通信装置（１００）を有し、またはこれを形成することを特徴とする、請求項１から１２のいずれか１項に記載のエネルギー蓄積器モジュール。
【請求項１４】
前記エネルギー蓄積器モジュールは、前記器具インターフェース（５０）を介して前記エネルギー蓄積器モジュール（４０）と結合されている器具が前記集塵機（７０，８７０７０，８７０）との協同作用をするのに適した、および／または前記集塵機（７０，８７０）の吸出し機能を必要とする器具であるか否かに依存して、前記集塵機（７０，８７０）を切り換えるために、特にスイッチオフするために、および／または作動化もしくは不作動化させるために構成されることを特徴とする、請求項１３に記載のエネルギー蓄積器モジュール。
【請求項１５】
前記エネルギー蓄積器モジュールは、電気エネルギーの供給を受けるべき器具から分断されたときに、および／または前記エネルギー蓄積器の事前設定された充電状態値を下回ったときに、前記外部通信装置（１００）に情報提供をする分断信号を、特にスイッチオフ信号を、前記ワイヤレス通信インターフェース（６０）を介して送信するように構成されることを特徴とする、請求項１から１４のいずれか１項に記載のエネルギー蓄積器モジュール。
【請求項１６】
前記エネルギー蓄積器モジュールは前記ワイヤレス通信インターフェース（６０）を介して受信された少なくとも１つのソフトウェアモジュールまたはプログラムモジュール（２９）および／または前記ワイヤレス通信インターフェース（６０）を介して受信されたコンフィグレーションデータ（２９Ａ）を前記データインターフェース（５４）を介して前記電気器具へ伝送するように構成され、および／または前記電気器具から受信されたプロトコルデータ（２９Ｂ）を前記ワイヤレス通信インターフェース（６０）を介して伝送するように構成されることを特徴とする、請求項１から１５のいずれか１項に記載のエネルギー蓄積器モジュール（４０）。
【請求項１７】
前記受信情報（ＥＭ）は前記電気器具の少なくとも１つのステータス情報（２９Ｃ）、特にエラー情報、および／または前記電気器具のスイッチの切換位置、および／または前記電気器具の少なくとも１つの識別情報（２９Ｄ）、たとえばシリアルナンバーおよび／または型式識別記号を含むことを特徴とする、請求項１から１６のいずれか１項に記載のエネルギー蓄積器モジュール。
【請求項１８】
前記エネルギー蓄積器モジュールは前記器具インターフェース（５０）の分断状態から動作状態への移行もしくはこれと逆の移行に依存して少なくとも１つの受信情報（ＥＭ）を前記ワイヤレス通信インターフェース（６０）を介して送信するように構成され、前記器具インターフェース（５０）は分断状態では電気的および／または機械的に前記電気器具から分断され、動作状態では機械的および／または電気的に前記電気器具と結合されることを特徴とする、請求項１から１７のいずれか１項に記載のエネルギー蓄積器モジュール。
【請求項１９】
前記エネルギー蓄積器モジュールは前記電気器具の事前設定された受信情報をブロードキャスト情報またはアドバタイジング情報として前記ワイヤレス通信インターフェース（６０）を介して送信するように構成されることを特徴とする、請求項１から１８のいずれか１項に記載のエネルギー蓄積器モジュール。
【請求項２０】
前記エネルギー蓄積器モジュールは分断状態から動作状態への移行時に前記電気器具の事前設定された受信情報をブロードキャスト情報またはアドバタイジング情報として前記ワイヤレス通信インターフェース（６０）を介して送信するように構成されることを特徴とする、請求項１９に記載のエネルギー蓄積器モジュール。
【請求項２１】
前記エネルギー蓄積器モジュールは、前記エネルギー蓄積器モジュール（４０）、前記エネルギー蓄積器モジュール（４０）の前記器具インターフェース（５０）と接続するためのモジュールインターフェースまたは器具インターフェース（３０）を備える前記電気機器、および／または前記外部通信装置（１００）が形成するシステムのシステム構成要素を形成することを特徴とする、請求項１から２０のいずれか１項に記載のエネルギー蓄積器モジュール。
【請求項２２】
請求項１から２１のいずれか１項に記載のエネルギー蓄積器モジュール（４０）を有している電気器具。
【請求項２３】
電気式の手動工作機械または集塵機（７０，８７０）の形態の電気器具とともにエネルギー蓄積器モジュール（４０）を利用する方法であって、前記エネルギー蓄積器モジュール（４０）は、前記エネルギー蓄積器モジュール（４０）から離れて配置される外部通信装置（１００）との間で、特に集塵機（７０，８７０）との間で、ワイヤレス通信をするためのワイヤレス通信インターフェース（６０）と、電気式のエネルギー蓄積器（４２）が、特に電気式の再充電可能な少なくとも蓄積器セルを備える蓄積器セル構造が中に配置され、前記電気器具と前記エネルギー蓄積器モジュール（４０）を取外し可能に結合するための器具インターフェース（５０）が設けられたモジュールハウジング（４１）とを有し、前記器具インターフェース（５０）は前記電気器具に電気的なエネルギー供給をするための電気式の器具供給接点（５２）を有する、そのような方法において、前記供給接点とは別個のデータインターフェース（５４）、特にバスインターフェースを介しての前記エネルギー蓄積器モジュール（４０）と前記手動工作機械の間のデータ通信が行われ、前記エネルギー蓄積器モジュール（４０）は前記データインターフェース（５４）を介して前記電気器具から受け取った受信情報（ＥＭ）に依存して送信信号（ＳＩＩ）を前記ワイヤレス通信インターフェース（６０）を介して前記外部通信装置（１００）へ送信し、および／または前記ワイヤレス通信インターフェース（６０）を介して前記外部通信装置（１００）から受信された受信信号（ＥＳＩ）に依存して前記電気器具に送信情報（ＳＭ）を送信することを特徴とする方法。
【発明の詳細な説明】
【技術分野】
【０００１】
本発明は、電気式の手動工作機械または集塵機の形態の電気器具とともに使用するためのエネルギー蓄積器モジュールに関し、エネルギー蓄積器モジュールは、エネルギー蓄積器モジュールから離れて配置される外部通信装置との間で、特に集塵機との間で、ワイヤレス通信をするためのワイヤレス通信インターフェースと、電気式のエネルギー蓄積器が、特に電気式の再充電可能な少なくとも１つの蓄積器セルを備える蓄積器セル構造が中に配置され、電気器具とエネルギー蓄積器モジュールを取外し可能に結合するための器具インターフェースが設けられたモジュールハウジングとを有し、器具インターフェースは電気器具に電気的なエネルギー供給をするための電気式の器具供給接点を有する。
【背景技術】
【０００２】
このような種類のエネルギー蓄積器モジュールは、たとえば手動工作機械に、たとえば機械鋸、ねじ締め機などに電流を供給するために必要とされる。吸引器具、特に移動型の吸引器具も、エネルギー蓄積器モジュールや蓄電池パックを用いて電流の供給を受ける割合が増えている。
【０００３】
冒頭に述べた種類のエネルギー蓄積器モジュールが、たとえば特許文献１から明らかとなる。エネルギー蓄積器モジュールを用いて、たとえば回し引き鋸と集塵機を、有線式の接続を必要とすることなくスイッチオンまたはスイッチオフすることができる。ワイヤレス式の通信は、エネルギー蓄積器モジュールのワイヤレス通信インターフェースを介してのみ行うことができる。たとえばこのエネルギー蓄積器モジュールは、たとえば回し引き鋸の形態の電気器具の駆動モータを通る電流を検出し、この電流に依存して集塵機をスイッチオンまたはスイッチオフする。
【０００４】
しかしながら、このような種類のエネルギー蓄積器モジュールの適用範囲は限られている。
【先行技術文献】
【特許文献】
【０００５】
【特許文献１】独国特許出願公開第１０２０１２００３０７３Ａ１号明細書
【発明の概要】
【０００６】
したがって本発明の課題は、改良されたエネルギー蓄積器モジュールを提供することにある。
【０００７】
この課題を解決するために、冒頭の述べた種類のエネルギー蓄積器モジュールにおいて、エネルギー蓄積器モジュールの器具インターフェースが器具供給接点とは別個のデータインターフェース、特にバスインターフェースを電気器具とのデータ通信のために有し、エネルギー蓄積器モジュールはデータインターフェースを介して電気器具から受け取った受信情報に依存して送信信号をワイヤレス通信インターフェースを介して外部通信装置へ送信するために構成され、および／またはワイヤレス通信インターフェースを介して外部通信装置から受信された受信信号に依存して電気器具に送信情報を送信するために構成されることが意図される。
【０００８】
電気式の手動工作機械または集塵機の形態の電気器具とともにエネルギー蓄積器モジュールを利用する方法であって、エネルギー蓄積器モジュールが、エネルギー蓄積器モジュールから離れて配置される外部通信装置との間で、特に集塵機との間で、ワイヤレス通信するためのワイヤレス通信インターフェースと、電気式のエネルギー蓄積器が、特に電気式の再充電可能な少なくとも蓄積器セルを備える蓄積器セル構造が中に配置され、電気器具とエネルギー蓄積器モジュールを取外し可能に結合するための器具インターフェースが設けられたモジュールハウジングとを有し、器具インターフェースは電気器具に電気的なエネルギー供給をするための電気式の器具供給接点を有する、そのような方法は、供給接点とは別個のデータインターフェース、特にバスインターフェースを介してのエネルギー蓄積器モジュールと手動工作機械の間のデータ通信が意図され、エネルギー蓄積器モジュールはデータインターフェースを介して電気器具から受け取った受信情報に依存して送信信号をワイヤレス通信インターフェースを介して外部通信装置へ送信するために構成され、および／またはワイヤレス通信インターフェースを介して外部通信装置から受信された受信信号に依存して電気器具に送信情報を送信するために構成される。
【０００９】
本発明の基本思想は、いわばエネルギー蓄積器モジュールが、エネルギー蓄積器モジュールと電気器具からなる組み合わせのためにワイヤレス通信を遂行することにある。このようにして電気器具そのものは相応の機能を有する必要がなく、特に、ワイヤレス通信インターフェースを有する必要もない。
【００１０】
このようにして、たとえば電気機械の制御部が、特にそのマイクロコントローラが、ワイヤレス通信インターフェースをさらに追加的に操作する必要なく作動することができる。そのようなワイヤレス通信インターフェースが、エネルギー蓄積器モジュールの内部または表面にいわばアウトソーシングされる。すなわち、たとえば電気器具とは別個の器具とのワイヤレス通信で、すなわちワイヤレス通信インターフェースを介して遅延が発生すると、たとえばワイヤレス式に伝送されるメッセージが低速で、もしくは遅延して応答されることがあり得る。しかし電気器具のマイクロコントローラまたは制御部は、このような種類の待機時間や待ち時間によって影響を受けることがない。制御部はワイヤレス通信を負担することなく、たとえば電気器具の駆動モータの励起や電気器具の監視などの電気器具の機能を担うことができる。
【００１１】
それと同時に、アクチュアリティの観点からの利点がもたらされる。通常、電気式の手動工作機械や集塵機の形態の電気器具は比較的長期間使用される。それに比べて、エネルギー蓄積器モジュールは大幅に寿命が短い。たとえばエネルギー蓄積器モジュールの蓄積器セル等は若干の期間後に、特に事前設定された回数の充電プロセスの後に、またはある程度の耐用寿命の後に消耗する。したがってエネルギー蓄積器モジュールまたは蓄電池パックは、エネルギー蓄積器モジュールにより電気エネルギーの供給を受けるべき器具よりも、すなわち手動工作機械や集塵機などよりも頻繁に取り替えられる。このように、エネルギー蓄積器モジュールを取り替えなければならないケースのほうが頻繁に発生する。そしてその過程で、たとえば別の標準および／または新しい標準あるいは改良された標準に従って更新されたワイヤレス通信を提供することができる。
【００１２】
すなわち、たとえば１つのエネルギー蓄積器モジュールがＷＬＡＮインターフェースを装備し、他のエネルギー蓄積器モジュールがブルートゥース（登録商標）インターフェースを装備していることが容易にあり得る。手動工作機械や集塵機でエネルギー蓄積器モジュールを単に交換することで、あるときはＷＬＡＮを介して、また別の時にはブルートゥースを介して通信をすることができる。
【００１３】
あるいは、エネルギー蓄積器モジュールのワイヤレス通信インターフェースが、互いに異なる少なくとも２つのワイヤレス通信標準またはワイヤレス通信テクノロジーを、たとえばＷＬＡＮとブルートゥース、ＷＬＡＮと移動無線などを扱うという態様も考えられる。異なる通信テクノロジーのうちどれが現在使用されているかを、エネルギー蓄積器モジュールが独立して認識することが可能である。たとえばエネルギー蓄積器モジュールが集塵機または外部通信インターフェースのワイヤレス信号を分析し、それに適合する通信テクノロジーを、たとえば第１の通信標準または第２の通信標準を選択することができる。たとえばエネルギー蓄積器モジュールはブルートゥース信号を受信したときには、ブルートゥースを通じて外部通信インターフェースに、特に吸引器具に応答し、もしくはこれと通信し、それに対してたとえばＺｉｇｂｅｅ（登録商標）、ＷＬＡＮ、移動無線などの別の通信標準の場合には、エネルギー蓄積器モジュールがこの別の通信標準を選択し、もしくはアクティブに切り換える。
【００１４】
さらに手動工作機械は、たとえば当該手動工作機械がワイヤレス通信を行うことができない場合には、本発明によるエネルギー蓄積器モジュールの取付けによって初めてワイヤレス通信能力が与えられる。なおこのことは、すなわち手動工作機械が独自のワイヤレス通信インターフェースを有していないことは、１つの好ましいコンフィグレーションである。
【００１５】
あるいは両方が、すなわち手動工作機械とエネルギー蓄積器モジュールが、それぞれワイヤレス通信インターフェースを有しているのも本発明の１つの態様である。
【００１６】
エネルギー蓄積器モジュールのワイヤレス通信インターフェースは、たとえば２．４から２．６ＧＨｚの周波数で送信および受信をする。ワイヤレス通信インターフェースが複数のワイヤレス通信チャネルを、たとえば３つまたは４つのワイヤレス通信チャネルを、同時に操作することができると好ましい。
【００１７】
エネルギー蓄積器モジュールのワイヤレス通信インターフェースは、たとえばブルートゥースインターフェース、ＷＬＡＮインターフェースなどである。この点に関して、たとえばさらに高いデータ通信速度、別のメッセージや新しいメッセージ、特に別の、もしくは新しいメッセージ形式を有する新しい標準が適用されたときは、それらの新しいワイヤレス通信機能を遂行するために、エネルギー蓄積器モジュールを交換するだけでよく、または新しいソフトウェアを付与するだけでよい。エネルギー蓄積器モジュールを装備している、または装備可能である手動工作機械または吸引器具は変わることなく保たれる。
【００１８】
エネルギー蓄積器モジュールと電気器具は内部的にデータインターフェースを通じて相互に通信する。
【００１９】
エネルギー蓄積器モジュールは、たとえばデータインターフェースを介して電気器具から受信された受信情報に含まれる、またはこれに依存する送信信号を送信する。たとえば電気器具はデータインターフェースを介して切換信号または切換情報をエネルギー蓄積器モジュールに送信することができ、エネルギー蓄積器モジュールはワイヤレス通信インターフェースを介してこれに対応する送信信号を、たとえばＷＬＡＮメッセージ、ブルートゥースメッセージなどを送信する。
【００２０】
これと逆の方向でも、すなわち外部通信装置からエネルギー蓄積器モジュールのワイヤレス通信インターフェースを介して電気器具へも、データフローが機能する。たとえば外部通信装置はデータまたはその他の情報をワイヤレス通信インターフェースに送信することができ、これが受信信号としてこれらを受信する。受信信号に依存して、エネルギー蓄積器モジュールは、データインターフェースを介して相応の送信情報を電気器具に送信する。たとえば外部通信装置は、自らの動作準備完了をワイヤレス式に通知する集塵機の構成要素を形成することができる。
【００２１】
ワイヤレス式の通信は無線通信であるのが好ましい。あるいは、たとえば赤外線などを通じての光学式の通信もワイヤレス通信であると理解されるべきである。
【００２２】
受信情報は、たとえばエネルギー蓄積器モジュールと結合されている電気器具の動作状態または動作準備完了を表示する少なくとも１つの動作情報を含むことができる。たとえば電気器具が動作準備完了したときに、この動作情報を電気器具からデータインターフェースを介してエネルギー蓄積器モジュールへ通知することができる。動作情報はたとえば切換情報である。エネルギー蓄積器モジュールはこの動作情報に依存する送信情報を、たとえば制御信号を、ワイヤレス通信インターフェースを介して、外部通信装置の、特に集塵機のスイッチオンまたはスイッチオフのために送信するように構成される。さらにエネルギー蓄積器モジュールが、外部通信装置との通信接続たとえば制御接続を成立させるために、ログオンメッセージを送信するように構成されると好ましい。すなわち、エネルギー蓄積器モジュールによって電気エネルギーの供給を受ける電気器具の、たとえば手動工作機械の動作状態または動作準備完了に依存して、エネルギー蓄積器モジュールが外部通信装置との通信接続を成立させる。
【００２３】
電気器具の動作情報または動作準備完了は、たとえば、電気式の駆動モータおよび／または電気器具を制御するための器具制御装置がスイッチオンされているか否かに依存していてよい。すなわち、たとえば電気器具の機能を制御するマイクロコントローラがアクティブであるときに、またはスイッチオンされているときに、相応の動作情報または動作準備完了情報をデータインターフェースを介してエネルギー蓄積器モジュールに送信する。さらにエネルギー蓄積器モジュールがこれに依存して、たとえば外部通信装置との通信接続を成立させることができる。あるいは電気器具の動作情報または動作準備完了は、エネルギー蓄積器モジュールと電気器具の間の通信のためのデータインターフェースが作動化していること、および／または機能性があることに依存させることもできる。
【００２４】
すなわち、たとえばエネルギー蓄積器モジュールと電気器具の間のデータインターフェースをなすＩ２Ｃバスが作動中であるとき、または動作準備完了しているとき、またはすでに利用されているとき、エネルギー蓄積器モジュールはそこから電気器具の動作準備完了を読み取る。さらにはこれに依存して、エネルギー蓄積器モジュールはたとえばワイヤレス通信インターフェースをスイッチオン、スイッチオフなどすることができる。すなわち、たとえば手動工作機械が、たとえばＩ２Ｃバスなどのデータインターフェースのバスのための電流供給をスイッチオンしたときに（ハイレベル）、エネルギー蓄積器モジュールがいわば起動され、またはエネルギー蓄積器モジュールのコントローラもしくは制御部がスイッチオンされる。このような機能は、手動工作機械がスイッチオンされており、したがって集塵機をスイッチオンおよびスイッチオフできることをエネルギー蓄積器モジュールのコントローラまたは制御部が認識するために利用される。
【００２５】
エネルギー蓄積器モジュールは、このような動作準備完了に依存して、たとえばデータインターフェースを介して確立された電気器具とのバス通信に依存して、外部通信装置でログオンを行うことができるのが好都合である。すなわち、たとえば手動工作機械はスイッチオンされたときに、エネルギー蓄積器モジュールとのバス通信を開始する。さらにエネルギー蓄積器モジュールが、外部通信装置との通信接続を構築する。
【００２６】
動作情報は、たとえば器具制御装置または電気式の駆動モータがスイッチオンされるときの初期化通信の枠内でエネルギー蓄積器モジュールと電気器具の間で伝送される少なくとも１つの動作準備完了情報、たとえばバスメッセージを含むのが好都合である。すなわち、たとえば電気器具のスイッチが、特に駆動装置スイッチが操作されると、このことは、電気器具がいわばエネルギー蓄積器モジュールに呼びかけをし、またはバス通信を作動させることを帰結する。そのために、たとえば初期化通信が行われなければならず、その際に、エネルギー蓄積器モジュールと電気器具が動作パラメータに関して、たとえば供給されるべき供給電圧、電圧や電流の最大値などに関して相互に了解をする。このような種類の初期化通信は、さらにエネルギー蓄積器モジュールが吸引器具などの外部通信装置でログオンをするために利用することができる。
【００２７】
さらに動作情報は、エネルギー蓄積器モジュールを特徴づける少なくとも１つの情報が、たとえば電気的な特性量が、電気器具によってエネルギー蓄積器モジュールに照会されることを含んでいると好ましい。たとえば最大電流または最大電圧、その典型的な出力などを照会することができる。あるいは特徴づけをする情報は、たとえばエネルギー蓄積器モジュールのシリアルナンバー、型式名称などであってもよい。
【００２８】
さらに動作情報は電圧信号を含むことができ、またはこれによって形成されていてよく、電圧信号は、データインターフェースでエネルギー蓄積器モジュールにより電気器具のために提供される供給電圧に依存し、および／または電気器具によりエネルギー蓄積器モジュールのために提供される供給電圧に依存する。すなわち、たとえば電気器具がエネルギー蓄積器モジュールの制御部などに供給電圧を供給したとき、そこからエネルギー蓄積器モジュールは、ワイヤレス通信インターフェースが作動化されるべきであることを導き出すことができる。あるいは、エネルギー蓄積器モジュールが電気器具のために提供する電圧信号を動作情報が含んでいることも可能である。たとえば電気器具は、電気器具の器具制御装置が電流の供給を受けるエネルギー蓄積器モジュールから、ロジック電圧の供給を受けることができる。電気器具がこのような種類の電圧を必要としているか否か、または場合により照会もしているか否かに依存して、エネルギー蓄積器モジュールは、それがワイヤレス通信のために意図されていることを認識することができる。たとえばワイヤレス通信インターフェースを必要としない、またはこれを扱うことができない電気器具が、エネルギー蓄積器モジュールから供給を受けることがあり得る。たとえばそれが第１の電圧高さを有する電圧信号を生成しているとき、そこからエネルギー蓄積器モジュールは、ワイヤレス通信が希望されていないことを認識することができる。一方、電圧信号がたとえば電気式の回し引き鋸などへの供給を報知しているとき、このような動作情報はエネルギー蓄積器モジュールにとって、ワイヤレス通信インターフェースを作動させる、または作動化させるのに適している。
【００２９】
あるいは動作情報は、データインターフェースのバス回線のクロック信号を含むこともでき、またはこれによって形成されていてよい。すなわち、たとえばデータインターフェースがクロック回線を含んでいてクロック信号が照会されたとき、または特定のクロックを有しているとき、このことはエネルギー蓄積器モジュールにとって、ワイヤレス通信インターフェースがアクティブであるべきこと、または特定の動作モードで作動されるべきであることを示す指標である。少なくとも１つの受信情報は、たとえば電気器具を特徴づける電圧情報、たとえば電圧高さを含むことができ、またはこれによって形成されていてよい。このような受信情報または動作情報は、たとえば充電器具により提供される電圧情報とは相違する。
【００３０】
エネルギー蓄積器モジュールがたとえば電気器具に電流を供給するとき、動作情報または受信情報としての役目を果たす電圧信号は、エネルギー蓄積器モジュールがたとえば充電器具に接合されている、または充電器具に連結されている状況におけるよりも低いレベルにあり、たとえば３．３Ｖである。充電器具は、たとえば５Ｖのデータインターフェースで電圧情報または電圧信号を提供することができる。
【００３１】
さらにエネルギー蓄積器モジュールは、たとえば初期化通信などの典型的または特徴的な通信を参照して、ワイヤレス通信インターフェースを利用する電気器具または利用するべき電気機器と、たとえば電動鋸や充電器具と、通信しているのか否かを認識することができる。たとえば電流の供給を受ける電気器具は、エネルギー蓄積器モジュールの個々の蓄積器セルの最大電圧については配慮を必要とせず、相応にこれを照会することをしない。それに対して充電器具はそれぞれの蓄積器セルの最大電圧を照会して、充電プロセスを相応に最適化する。
【００３２】
したがってエネルギー蓄積器モジュールは、器具インターフェースを介してエネルギー蓄積器モジュールと結合されている器具が、エネルギー蓄積器の電気充電のために意図される充電器具であるのか、それともエネルギー蓄積器モジュールにより電気エネルギーの供給を受けるべき器具であるのかに依存して、または器具インターフェースが不使用であるか否かに依存して、外部通信装置との通信を作動化または不作動化するために構成されると好ましい。不作動化は、外部通信装置の完全なスイッチオフであってよい。あるいは、不作動化された外部通信装置が事前設定された通信については、たとえばプログラムデータのロードやパラメータ化については、引き続きアクティブのまま保たれることも可能である。すなわち不作動化は、たとえば切換情報の受信および／または送信の意味における制御通信は可能でないものの、たとえばコンフィグレーションモジュールなどの少なくとも１つの他のデバイスとのワイヤレス通信は可能であることを意味することができる。コンフィグレーションモジュールは、たとえばコンフィグレーションパラメータ、プログラムなどを送信し、これをエネルギー蓄積器モジュールが、外部通信装置との通信が不作動化しているときでも受信する。
【００３３】
器具インターフェースが不使用であるとき、すなわちどの電気器具もこれに接続されていないとき（集塵機、工作機械など）、エネルギー蓄積器モジュールは外部通信装置との通信を不作動化する。
【００３４】
１つの好ましいコンセプトは、エネルギー蓄積器モジュールが、エネルギー蓄積器モジュールと外部通信装置の間のワイヤレス通信および／または電気器具とのデータ通信に関わる少なくとも１つの通信情報を出力するために、特に光学式および／または音響式の表示装置を有することを意図する。
【００３５】
たとえば表示装置はＬＥＤ表示器などを含むことができる。エネルギー蓄積器モジュールが外部通信装置と通信をするとき、表示装置は、機能している通信または現在作動している通信を報知することができる。さらに表示装置は、たとえば外部通信装置とワイヤレス通信インターフェースの間でのログオンプロセスまたは認証プロセスを表示することができる。当然ながら、たとえば信号音などの音響式の出力が意図されていてもよい。さらに、電気器具とエネルギー蓄積器モジュールの間の通信を表示装置によって表示可能であると好ましい。
【００３６】
表示装置は第１の動作モードにあるときエネルギー蓄積器モジュールの少なくとも１つの電気的な特性量を、特に電気式のエネルギー蓄積器の充電状態を出力するように構成され、第２の動作モードにあるとき少なくとも１つの通信情報を出力するように構成されることが意図されるのが好ましい。それに応じて表示装置は、エネルギー蓄積器モジュールのローカルな情報も報知することができる。たとえば電気式のエネルギー蓄積器の充電状態ないし容量表示を第１の動作モードで表示することができる。第２の動作モードでは通信情報を表示することができる。すなわち、たとえば認証またはログオンが行われる外部通信装置とのワイヤレス通信が確立されたとき、このことを第２の動作モードで報知することができる。第１の動作モードでは、表示装置はたとえば第２の動作モードとは異なる色または情報シーケンスを有する。
【００３７】
１つの好ましいコンセプトは、電気器具の受信情報を参照して生起される送信信号は、外部通信装置を、特に集塵機をスイッチオンおよび／またはスイッチオフするための少なくとも１つの切換信号、および／または外部通信装置を、特に集塵機をコンフィグレーションするための少なくとも１つのコンフィグレーションメッセージを、電気器具を特徴づける量に依存して含むことを意図する。すでに述べたとおり、電気器具に由来するデータインターフェースにおける受信情報を、エネルギー蓄積器モジュールにより、たとえば集塵機などの外部通信装置をスイッチオンまたはスイッチオフするための切換信号を送信するために利用することができる。このことは、外部通信装置が動作準備完了したまま保たれてはいるが、たとえば集塵機の吸引モータはスイッチオフまたはスイッチオンされることであると理解される。少なくとも１つのコンフィグレーションメッセージは、たとえば外部通信装置の作業設定を、たとえば吸引出力をコンフィグレーションするための役目を果たす。このような種類のコンフィグレーションは以下においてさらに明らかとなる：
１つの好ましいコンセプトは、エネルギー蓄積器モジュールに接続された電気器具が集塵機と協同作用するように意図されて構成されることを意図し、集塵機は外部通信装置を有し、またはこれを形成する。外部通信装置は、たとえば相応のワイヤレス通信装置を有する集塵機によって直接形成されていてよい。あるいは外部通信装置は、集塵機と接続することができるモジュールとして構成されることも可能である。この集塵機は、たとえば特に冒頭に挙げた特許文献１のような形式のモジュールインターフェースを有する。
【００３８】
特に上記の方策との関連で、エネルギー蓄積器モジュールが、器具インターフェースを介してエネルギー蓄積器モジュールと結合されている器具が集塵機との協同作用をするのに適した、および／または集塵機の吸出し機能を必要とする器具であるか否かに依存して、集塵機を切り換えるために、特にスイッチオフするために、および／または作動化もしくは不作動化させるために構成されると好ましい。すなわち、エネルギー蓄積器モジュールと接続されている器具が充電器具であるときには集塵機が必要とされず、すなわち、このケースではたとえばエネルギー蓄積器モジュールのワイヤレス通信インターフェースがインアクティブになる。一方、エネルギー蓄積器モジュールによって供給を受ける器具が回し引き鋸やその他の手動工作機械であるときには吸出し機能が必要とされる。その場合には、エネルギー蓄積器モジュールのワイヤレス通信インターフェースがアクティブになる。
【００３９】
エネルギー蓄積器モジュールでは、電気エネルギーの供給を受けるべき器具から分断されたときに、および／またはエネルギー蓄積器の事前設定された充電状態値を下回ったときに、外部通信装置に情報提供をする分断信号を、特にスイッチオフ信号を、ワイヤレス通信インターフェースを介して送信するように構成されることが意図されるのが好ましい。すなわち、たとえばエネルギー蓄積器モジュールが手動工作機械から分断されたときや、手動工作機械に供給をするのに十分なエネルギーを送れなくなったとき、ワイヤレス通信インターフェースを介してスイッチオフ信号を送信するのが好ましい。このようなケースでは、たとえばワイヤレス通信インターフェースを介して制御される集塵機をそれ以上作動させなくてよい。そして外部通信装置は、たとえば集塵機の吸引ユニットをスイッチオフする。
【００４０】
１つの好ましいコンセプトは、エネルギー蓄積器モジュールが、ワイヤレス通信インターフェースを介して受信された少なくとも１つのソフトウェアモジュールまたはプログラムモジュールおよび／またはコンフィグレーションデータをデータインターフェースを介して電気器具へ伝送するように構成されることを意図する。たとえば電気器具の器具制御装置のためのソフトウェアアップデートを、エネルギー蓄積器モジュールのワイヤレス通信インターフェースを介して受信することができる。コンフィグレーションデータはたとえばエネルギー蓄積器モジュールおよび／または電気器具についての動作パラメータ、特に最大の回転数、運転時間、有効電流などを含むことができる。
【００４１】
当然ながら、ワイヤレス通信インターフェースはエネルギー蓄積器モジュールおよび／またはワイヤレス通信インターフェースそのもののアップデートのために意図され、および／または構成されていてもよい。
【００４２】
エネルギー蓄積器モジュールは、たとえばエラー記憶装置データやログデータなどを伝送するために、電気器具から受信されたプロトコルデータをワイヤレス通信インターフェースを介して伝送するように構成されていてもよい。
【００４３】
プログラムモジュールまたはソフトウェアモジュールおよび／またはプロトコルデータは暗号化されたうえでワイヤレス通信インターフェースを介して伝送されるのが好ましい。
【００４４】
受信情報は、電気器具の少なくとも１つのステータス情報、たとえばエラー情報、たとえばポテンショメータ、接続器、遮断器などのスイッチの切換位置、および／または電気器具の少なくとも１つの識別情報、たとえばシリアルナンバーを含むのが好ましい。
【００４５】
エネルギー蓄積器モジュールは、エネルギー蓄積器モジュールの器具インターフェースの分断状態から動作状態への移行もしくはこれと逆の移行に依存して、少なくとも１つの受信情報をワイヤレス通信インターフェースを介して送信するように構成されるのが好ましい。分断状態では器具インターフェースが電気的および／または機械的に電気器具から分断され、動作状態では機械的および／または電気的に電気器具と結合される。たとえばエネルギー蓄積器モジュールは、分断状態から動作状態への移行時にデータインターフェースを介して電気器具から特にポテンショメータ、接続器の切換位置などの受信情報を受け取り、ワイヤレス通信インターフェースを介して送信することができる。さらにエネルギー蓄積器モジュールは、たとえば動作状態から分断状態への移行時に、それが電気器具から分断されているという情報をワイヤレス通信インターフェースを介して伝送することができる。
【００４６】
データインターフェースを介して電気器具から受信される１つまたは複数の事前設定された受信情報、特に非安全性関連の受信情報および／または守秘義務のない受信情報はそのまま、特に暗号化されることなく、ブロードキャスト通信、アドバタイジング通信などの枠内で、エネルギー蓄積器モジュールからそのワイヤレス通信インターフェースを介して送信することができる。たとえばスマートフォンや他の外部通信装置が、電気器具のステータス情報や少なくとも１つの識別情報などを、エネルギー蓄積器モジュールを通じて受信することができる。
【００４７】
このような種類のブロードキャスト通信をエネルギー蓄積器モジュールが実行するのは、特に、それが分断状態から動作状態へ移行し、それに伴って、事前設定された受信情報が工作機械、集塵機、またはその他の電気器具から初めて受信された場合である。
【００４８】
あるいはエネルギー蓄積器モジュールが、分断状態から動作状態へ移行してから事前設定された時間の後に、および／または周期的に、事前設定された受信信号をブロードキャスト通信の枠内で送信することも可能である。
【００４９】
たとえば手動工作機械などの電気器具が、適切な自動式の吸出しのために必要である情報をデータインターフェースを介して送信すると好ましい。たとえば電気器具はその型式、ダスト種別、駆動モータのそのつどの動作位置または動作状態（回転数など）、最新の消費出力などを、データインターフェースを介してエネルギー蓄積器モジュールに通知することができる。さらに、電気器具によりローカルに検出されたデータが、たとえば圧着力、最新のダスト発生量などが、電気器具からデータインターフェースを介してエネルギー蓄積器モジュールへ通知されることが可能である。エネルギー蓄積器モジュールはデータインターフェースを介して受信したデータをワイヤレス通信インターフェースに出力し、それにより、外部通信装置を、特に集塵機を、相応の機能に合わせて調整することができる。
【００５０】
さらに、機械はたとえば切換信号を、たとえばスイッチオン信号、スイッチオフ信号などを、データインターフェースを介してエネルギー蓄積器モジュールへ送信することも可能であり、さらにエネルギー蓄積器モジュールが相応の送信情報を、たとえば集塵機などの外部通信装置のためのワイヤレス通信インターフェースに出力する。たとえば電気器具は、それがダスト吸出しに適さない器具またはダスト吸出しを必要としない器具である場合、特にねじ締め器具などである場合、あるいは電気器具がその他の動作パラメータに基づきダスト吸出しを要しないことを知っている場合もしくは認識した場合（たとえば電気器具の集塵袋が接合されたばかりであるという理由で）、データインターフェースを介して相応の信号または相応の送信情報をエネルギー蓄積器モジュールに送信することができ、さらにエネルギー蓄積器モジュールがこれらのデータを好ましくは外部通信装置のためのワイヤレス通信インターフェースに出力する。
【００５１】
エネルギー蓄積器モジュールは、モジュールハウジングと、モジュールハウジングの中に収容されたエネルギー蓄積器、特に、再充電可能な少なくとも１つの電気式の蓄積器セルおよび工作機械または集塵機へのエネルギー供給のための電気エネルギーを提供するために意図される供給接点を備える構造とを有することが意図されるのが好ましい。電気式の蓄積器セルは、特に複数の電気式の蓄積器セルのユニットまたは構造は、たとえば充電器具によって充電可能である。あるいは、エネルギー蓄積器がたとえば燃料電池などの他の電気式の蓄積器を有し、または電気エネルギーを最後に提供することができる化学式の蓄積器を有することも可能である。
【００５２】
エネルギー蓄積器モジュールは、工作機械と取外し可能に結合するための器具インターフェースを備えるモジュールハウジングを有するのが好都合である。工作機械または集塵機に対するエネルギー蓄積器モジュールの器具インターフェースは、電気エネルギーを伝送するための互いに適合する供給接点および／またはデータを伝送するためのデータ接点、特にバス接点を有する。
【００５３】
工作機械はダストおよび／または粒子を生成する工作機械、特にドリル加工機械、フライス加工機械、研削機械などである。特に、工作機械は手動工作機械である。工作機械は、吸引ホースを接続するための吸引吐出部、たとえば接続管を有するのが好都合である。
【００５４】
集塵機は一般に吸引器具と呼ぶこともできる。集塵機自体は当然ながらダストだけでなく、工作機械が生成するこれよりも大きい粒子も吸引することができる。
【００５５】
集塵機と工作機械が前述の吸引ホースまたは別の吸引ホースを用いて相互に流動接続されているときにのみ制御接続を成立可能であり、または成立すると好ましい。
【００５６】
工作機械および／または集塵機には、吸引ホースの接続を認識するセンサまたは認識手段が設けられていてよい。実際に吸引ホースが接続されているときにのみ、制御接続が成立する。
【００５７】
次に、図面を参照しながら本発明の実施例について説明する。図面は次のものを示す：
【図面の簡単な説明】
【００５８】
【図１】手動工作機械と集塵機とを含む本発明によるシステムを示す斜視外観図である。
【図２】図１の集塵機の詳細部Ｄ１にほぼ準ずる部分図である。
【図３】図１の集塵機の通信モジュールを示す斜視外観図である。
【図４】図１の工作機械の器具インターフェースである。
【図５】図１のシステムのエネルギー蓄積器モジュールを示す斜視外観図である。
【図６】図５のエネルギー蓄積器モジュールを別の側から示す斜視図である。
【図７】図５、６のエネルギー蓄積器モジュールを充電するための充電器具である。
【図８】図１のシステムの通信モジュールを示す斜視外観図である。
【図９】図８の通信モジュールであるが、模式的に図示する吸引ホースに取り付けるための取付装置を有している。
【図１０】図９、１０の通信モジュールを示す模式的な機能図である。
【図１１】エネルギー蓄積器モジュールならびに手動工作機械と図１の通信モジュールとを示す模式的な回路図である。
【図１２】図７の充電器具と協同作用する図４のエネルギー蓄積器モジュールを示す模式的な回路図である。
【図１３】図１の別のエネルギー蓄積器モジュールを図７の充電器具に装着された状態で示す斜視図である。
【図１４】図１の集塵機とエネルギー蓄積器モジュールとの間の通信ダイアグラムである。
【図１５】トランスポートボックスの中に配置されてエネルギー蓄積器により作動可能な集塵機を有する、模式的に示すシステムである。
【図１６】信号強度情報と応答時間の間の関係を示すグラフである。
【発明を実施するための形態】
【００５９】
同一または同一種類のコンポーネントには、以下において、部分的に同一の符号またはＡ、Ｂ等の付加によって明示された類似の符号が付されている。
【００６０】
図１に部分的に模式的に示すシステム１０は、エネルギー蓄積器モジュール４０Ａ，４０Ｂから電気エネルギーの供給を受ける工作機械２０Ａ，２０Ｂを含んでいる。工作機械２０Ａ，２０Ｂはダストまたは粒子を生成する工作機械であり、特に手動工作機械である。工作機械２０Ｂはたとえば研削器具であり、工作機械２０Ａは鋸、特に回し引き鋸であり、ダストを生成する、または粒子を生成するルータなどのこれ以外の電動工作機械または手動工作機械も容易に可能である。
【００６１】
工作機械２０Ａ，２０Ｂの機械ハウジング２１Ａ，２１Ｂの中には工具受容部２３Ａ，２３Ｂが配置され、およびこれに伴って、工具収容部２３Ａ，２３Ｂに配置された工具３８Ａ，３８Ｂを駆動するために意図される駆動モータ２２が配置されている。工具３８Ａはたとえば鋸工具であり、工具３８Ｂはたとえば研削パッドである。駆動モータ２２は工具２３８Ａ，３８Ｂを直接的に、または伝動装置を介して、たとえば振動運動のための伝動装置２２Ａを介して駆動することができる。
【００６２】
工作機械２０Ａ，２０Ｂは切換部材２４を用いて、たとえば接続器／遮断器を用いて、スイッチオンおよびスイッチオフすることができる。さらに別の切換部材２５は、たとえば回転数コントローラまたは回転数調節器として構成される。たとえば切換部材２４の相応の操作ストロークによって駆動モータ２２の回転数を変更可能である実施形態が可能である。
【００６３】
手動工作機械２０Ａ，２０Ｂは、駆動モータ２２を制御するための制御装置２６を有している。制御装置２５は、たとえばプロセッサ２７と記憶装置２８とを含んでいる。記憶装置２７には１つのプログラムモジュールまたは複数のプログラムモジュール２９が保存され、そのプログラムコードをプロセッサ２７により実行可能であり、それにより手動工作機械２０Ａ，２０Ｂを制御し、および／またはエネルギー蓄積器モジュール４０Ａ，４０Ｂと通信する。
【００６４】
手動工作機械２０Ａ，２０Ｂは、吸引ホース１５を接続するための吸出し接続部または吸引吐出部３９を有しており、該吸引ホースを通じて、工具３８Ａ，３８Ｂの作動時に発生するダストを吸い出すことができる。吸引吐出部３９は、たとえば接続管は、工具３８Ｂの表面または内部に配置された、図面には見えていない吸出し開口部と連通する。このように、それ自体公知である通常の仕方によりダストを工具３８Ａ，３８Ｂから出るように直接吸い出すことができる。
【００６５】
システム１０の集塵機７０は、たとえばローラ７１Ａ，７１Ｂの上で地面に設置可能および／または転動可能である吸引器ハウジング７１を有している。吸引器具７０は移動式の吸引器具である。あるいは集塵機７０は積重ね可能な集塵機の形態を有することもでき、すなわち積層ハウジングを有し、および／または箱型の形態を有することもできる。ローラ７１Ａ，７１Ｂは任意選択である。
【００６６】
集塵機７０は集塵機ハウジング７１の前面に吸引取込部７２を有していて、これに吸引ホース１５を接続可能である。吸引ホース１５は、吸引吐出部３９Ａに接続される一方の長手方向端部１６をもって、および吸引取込部７２に接続される他方の長手方向端部１７をもって、工作機械２０Ａと集塵機７０の間に延びている。工作機械２０Ｂは吸引ホース１５の分岐部１８を介して集塵機７０に接続されている。分岐部１８は、長手方向端部１６と、工作機械２０Ｂの吸引吐出部３９Ａに接続された長手方向端部１９とに向かって分岐する。当然ながら、吸引ホース１５の分岐部１８は任意選択である。それ自体公知の仕方により、吸引吐出部３９と吸引取込部７２の間に分岐部を有することなく直接延びる吸引ホースが設けられていてもよい。
【００６７】
吸引器ハウジング７１の中に汚物収集室７３が設けられていて、この中に、ホース吐出部７２を介して吸い込まれる吸引流Ｓから分別されたダストおよびその他の粒子を収容することができる。汚物収集室７３の上方にフィルタ７４が設けられるのが好ましい。あるいは汚物収集室７３の中に、フィルタ７４の追加または代替として、汚物や粒子を収集するのに適したフィルタ袋が配置されていてもよい。吸引取込部７２を通して吸い込まれる吸引流Ｓは、吸引ユニット７５によって生成可能である。吸引ユニット７５は、たとえば電源接続装置７６を用いて電流の供給を受ける。電源接続装置７６は、特に２２０Ｖまたは１１０Ｖの交流電流を有する電力供給網ＥＶへ接続するために、たとえば接続ケーブルと接続プラグとを含んでいる。
【００６８】
集塵機７０の機能は操作部材構造７７によって制御可能である。操作部材構造はたとえば切換部材７８を含んでいて、これにより集塵機をスイッチオンまたはスイッチオフすることができ、あるいは、たとえば差込コンセント７９を介して通る電流が吸引ユニット７５のスイッチオンおよびスイッチオフをもたらす自動運転に切り換えることができる。差込コンセント７９は操作部材構造７７に設けられるのが好都合である。差込コンセント７９に電力消費部を、好ましくは電気式の手動工作機械２０Ｃを接続することができる。
【００６９】
差込コンセント７９は接点８０、特にブッシュを有していて、これに手動工作機械２０Ｃのプラグ３１Ｃの接点３２Ｃを差込可能である。プラグ３１Ｃは、電源接続装置３０Ｃの構成要素である接続ケーブルに配置されている。手動工作機械２０Ｃの切換部材２４が、たとえば鋸刃を駆動可能であるその駆動モータに通電をするために操作者によって操作されると、電源接続装置３０Ｃを通して、差込コンセント７９を介して集塵機７０から提供される電流が流れる。この電流を電流センサ８１によって、それ自体公知の仕方により検出可能である。集塵機７０の制御装置８６が、差込コンセント７９を介して通電がなされたとき、それ自体公知の仕方により吸引ユニット７５をスイッチオンするとともに、手動工作機械２０Ｃの動作が終了すると、すなわち電流センサ８１が電流を検出しなくなると、吸引ユニット２５を好都合には遅延時間をもってスイッチオフする。
【００７０】
電流センサ８２は、たとえば制御装置８０の入力／出力インターフェース８２に接続されている。さらに、たとえばパワーエレクトロニクスインターフェースなどの入力／出力インターフェース８２は、吸引ユニット７５を制御するための役目を果たす。
【００７１】
さらに制御装置８６はプロセッサ８７と、１つまたは複数のプログラムモジュール８９が格納された記憶装置８８とを有している。少なくとも１つのプログラムモジュール８９は、プロセッサ８７により実行可能な、特に下記の機能のうち１つまたは複数の機能を可能にするプログラムコードを有している。
【００７２】
差込コンセント７９は集塵機７０を介して供給電源ＥＶに接続可能であり、あるいは供給電源ＥＶに直接的に、すなわち電源接続装置３０Ｃを用いて接続可能である。
【００７３】
それに対して工作機械２０Ａ，２０Ｃは、リードレス式またはワイヤレス式の動作のために構成されている。すなわち、これらにはエネルギー蓄積器モジュール４０Ａ，４０Ｂを用いて電流を供給可能である。
【００７４】
それぞれのエネルギー蓄積器モジュール４０Ａ，４０Ｂは機能的に類似した構造となっているが、機械的な相違および／または電流供給容量、電圧などの電気的な相違は容易に存在し得る。
【００７５】
エネルギー蓄積器モジュール４０Ａ，４０Ｂは、エネルギー蓄積器４２が中に配置されたモジュールハウジング４１Ａ，４１Ｂを有している。エネルギー蓄積器４２は１つまたは複数の蓄積器セル４３を有し、特に、再充電可能である複数の蓄積器セル４３を含む蓄積器セル構造を有している。
【００７６】
エネルギー蓄積器モジュール４０Ａに任意選択として存在する表示装置４４を用いて、エネルギー蓄積器４２の充電状態をたとえば音響式および／または光学式に出力することができる。表示装置４４は、たとえば低い充電状態をたとえば警告音によって報知することができるスピーカ４４Ａを含んでいる。表示装置４４では、１つまたは複数のランプ４５、たとえばランプ４５Ａ，４５Ｂ，４５Ｃおよび４５Ｄの配置が好ましい。ランプ４５Ａ−４５ＤはＬＥＤであるのが好ましい。
【００７７】
エネルギー蓄積器モジュール４０Ａ，４０Ｂの機能は制御装置４６によって制御可能である。
【００７８】
制御装置４６には、エネルギー蓄積器４２によって直接的に、および／または蓄積器セル４３のうちの１つまたは複数によって、電気エネルギーを供給可能であってよい。たとえばエネルギー蓄積器４２と制御装置４６の間に供給回線４２Ｘが設けられていてよい。さらに制御装置４６は、エネルギー蓄積器４２から提供される電圧ないしエネルギー蓄積器４２から提供される供給電流を適合化するための供給モジュール４６Ｘをさらに有することができる。このように、それぞれの制御装置４６へローカルに電気エネルギーを供給可能であり、エネルギー蓄積器モジュール４０が電気器具と、たとえば充電器具や工作機械もしくは集塵機と、接続されているか否かには左右されない。
【００７９】
制御装置４６はたとえばプロセッサ４７と、少なくとも１つのプログラムモジュール４９が格納された記憶装置４８とを有している。たとえば制御装置４６は、手動工作機械２０Ａ，２０Ｂの制御装置２６と通信をする。プロセッサ４７は、特に以下においてさらに詳細に説明する機能を具体化するために、プログラムモジュール４９のプログラムコードを実行することができる。
【００８０】
エネルギー蓄積器モジュール４０Ａ，４０Ｂは、工作機械２０Ａ，２０Ｂの器具インターフェース３０を用いて、ならびにエネルギー蓄積器モジュール４０Ａ，４０Ｂの器具インターフェース５０を用いて、工作機械２０Ａ，２０Ｂと相互に取外し可能に結合可能である。
【００８１】
工作機械２０Ａ，２０Ｂは第１のシステムコンポーネント１１を形成し、エネルギー蓄積器モジュール４０Ａ，４０Ｂは第２のシステムコンポーネント１２を形成し、これらをそれぞれ１つのシステムを形成するように、相互に固定的に結合可能である。
【００８２】
器具インターフェース３０，５０はこの目的のために、互いに形状接合式に適合する輪郭、たとえば回転ロックのために適した形状接合輪郭を含み、または本例のように、器具インターフェース３０の差込・対応・形状接合輪郭３１と形状接合式に、すなわち差込運動の枠内で係合させることが可能な差込・形状接合輪郭５１を器具インターフェース５０に含んでいる。
【００８３】
このような差込運動により、器具インターフェース３０の器具・供給接点３２が器具インターフェース５０の供給接点５２と接触し、それにより、エネルギー蓄積器４２から電気エネルギーを供給接点５２，３２を介してそれぞれの工作機械２０Ａ，２０Ｂのために、特にその駆動モータ２２のために提供することができる。
【００８４】
さらに、器具インターフェース３０，５０はデータインターフェース３４，５４のデータ接点３３，５３を含んでおり、それによりデータ通信も、本例では特にシステムコンポーネント１１，１２の間のバス通信も可能である。
【００８５】
差込・形状接合輪郭５１，３１を用いた形状接合コンセプトの追加としての保持のために固定装置５５が作用し、これによってシステムコンポーネント１１，１２を互いに固定可能である。固定装置５５は、固定輪郭３５と係合させることが可能な、たとえば係止部、ロック部材などの固定部材５６を含んでいる。固定輪郭３５と固定部材５６は第１のシステムコンポーネント１１と第２のシステムコンポーネント１２に配置されているが、これと逆のコンフィグレーションも容易に可能である。固定装置５５は、本例では、ロック装置および／または係止装置を形成する。固定部材５６は操作部材５７を用いて固定輪郭３５との係合を外すことができ、任意選択として係合させることもできる。たとえば固定部材５６は、固定収容部または凹部として構成される固定輪郭３５と係合させることが可能な固定突起／ロック突起である。固定装置５５がその固定位置またはロック位置に入っているとき、差込・形状接合輪郭５１が差込・対応・形状接合輪郭３１と係合されたまま保たれ、すなわち、差込・形状接合輪郭５１，３１の差込軸に沿ってのシステムコンポーネント１１，１２の相対運動が不可能になる。
【００８６】
操作部材５７および／または固定部材５６は、ばね構造（図示せず）によって固定位置ないしロック位置へとばね付勢される。このように、操作部材５７の簡単なボタン操作またはキー操作によって、固定装置５５を固定位置から解除位置へと位置調節することができる。エネルギー蓄積器モジュール４０Ａには、互いに反対を向く側にそれぞれ固定部材５６が設けられ、さらには操作部材５７もそれぞれ設けられるのが好ましく、それに対してエネルギー蓄積器モジュール４０Ｂでは、単一の押圧キーまたは単一の操作部材５７しか必要ない。
【００８７】
エネルギー蓄積器モジュール４０Ａ，４０Ｂは、充電器具２２０を用いて充電することができる。充電器具２２０は充電器具ハウジング２２１を有していて、これに器具インターフェース２３０が設けられている。器具インターフェース２３０は、エネルギー蓄積器モジュール４０Ａ，４０Ｂの差込・形状接合輪郭５１と形状接合的に適合する差込・対応・形状接合輪郭２３１を有している。ロックは定置での動作については必要ない。充電器具２２０は器具インターフェース５０に適合するように、器具・供給接点２３２ならびにデータインターフェース２３４の、好ましくはバスインターフェースの、データ接点２３３をさらに有している。充電器具２２０には変圧器２３５が配置されるのが好ましく、これが電源接続装置２３６を用いて電流の供給を受けることが可能であり、エネルギー蓄積器４２を充電するための直流電圧を器具・供給接点２３２に提供する。接続プラグ２３７は電源接続装置２３６の構成要素を形成し、充電器具ハウジング２２１に直接的に配置されていてよく、または、模式的に図示している回線を介して充電器具ハウジング２２１と接続されていてよい。接続プラグ２３７は供給電源ＥＶに接続可能である。
【００８８】
データインターフェース３４，５４ならびに２３４は、本例ではバスインターフェースである。たとえば、バスインターフェースまたはデータインターフェース３４，５４，２３４はＩ２Ｃバスインターフェースである。バスインターフェースは、クロック回線ＣＬ、データ回線Ｄ、ならびにデータ接点３３Ａ，５３Ａ，および２３４Ａが付属する供給回線ＶＤ、データ接点３３Ｂ，５３Ｂ，２３３Ｂが付属するクロック回線ＣＬ、ならびにデータ接点３３Ｃ，５３Ｃ，２３４Ｃが付属するデータ回線Ｄを含んでいる。供給回線ＶＤは、器具インターフェース３０または２３０が器具インターフェース５０に電気供給電圧を、たとえばバス電圧ＵＢを提供するための役目を果たす。クロック回線ＣＬを通じて、データインターフェース３４，５４，２３４で具体化されるバスＢＵのバスクロックが提供される。データ回線Ｄを通じて、好ましくは双方向にエネルギー蓄積器モジュール４０から工作機械２０へ、およびその逆へ、および／またはエネルギー蓄積器モジュール４０から充電器具２２０へ、およびその逆へ、データが伝送される。
【００８９】
システムコンポーネント１１，１２が互いに結合されているとき、エネルギー蓄積器モジュール４０は、駆動モータ２２を作動させるのに適した供給電圧ＵＶを供給接点５２Ａ，５２Ｂに提供する。供給電圧ＵＶはたとえば１５ボルトまたは１８ボルトの直流電圧であり、あるいは常時これ以外の電圧であってよい。ここで付言しておくと、エネルギー蓄積器モジュールは当然ながら交流電圧を提供することもできる。その点は重要ではない。以下において簡略に工作機械２０と呼ぶ工作機械２０Ａ，２０Ｂの制御装置２６は、切換部材２４の操作に依存して駆動モータ２２を制御し、たとえばスイッチ２４Ａを開閉する。スイッチ２４Ａに代えて、たとえば電子整流式の駆動モータ２２のための通電装置などのパワーエレクトロニクスが設けられていてもよい。さらに、切換部材２４が駆動モータ２２の電気回路に直接的につながれ、そのようにして、これをスイッチオンおよびスイッチオフすることができることが考えられる。スイッチ２４Ａが閉じられると、エネルギー蓄積器４２から電流が回線Ｌ１を通して駆動モータ２２へと流れ、そこから再び回線Ｌ２を通してエネルギー蓄積器４２へと戻るように流れる。
【００９０】
充電プロセスのときにはこの電流コンセプトがちょうど逆になり、このことは図１２を参照すると明らかになる。このケースでは充電電流ＩＬが変圧器２３５から回線Ｌ１を通してエネルギー蓄積器４２へと流れる。供給接点２３２Ｂは、回線Ｌ２の供給接点５２と同様に、たとえば測定回線に割り当てられる。充電プロセスは、充電器具２２０の制御装置２２６によって制御されるのが好ましい。制御装置２２６は、充電プロセスを開始または終了させるために、たとえばスイッチ２３８を制御することができる。充電プロセスを監視するために充電器具２２０はエネルギー蓄積器モジュール４０と通信し、すなわち、データインターフェース２３４およびこれに付属する供給回線ＶＤのためのデータ接点２３３Ａ，２３３Ｂおよび２３３Ｃと、クロック回線ＣＬと、データ回線Ｄとを介して通信する。充電器具２２０とエネルギー蓄積器モジュール４０の間のバスＢＵでの相応の通信によって、たとえばエネルギー蓄積器４２の充電状態、その公称電圧などを照会することができる。充電プロセスを制御および監視するために、たとえば充電器具２３４は、充電プロセスを制御するためのプログラムモジュール２２９の制御コマンドまたはプログラムコードを実行することができるプロセッサ２２７を有している。プロセッサ２２７は、プログラムモジュール２２９が格納された、充電器具２２０の制御装置２２６の記憶装置２２８と接続されている。
【００９１】
集塵機７０はワイヤレス式またはリードレス式に制御可能である。そのために集塵機７０は一体型の、または好ましくはモジュールとして構成される外部通信装置１００を有している。外部通信装置１００は、集塵機ハウジング７１のモジュール収容部９０に取外し可能に配置可能である。モジュール収容部９０はたとえば操作部材構造７７の領域に配置され、特に、操作部材構造７７が設けられた前壁９５に配置される。外部通信装置１００の形態の通信モジュールがモジュール収容部９０に差し込まれると、モジュール収容部９０と通信装置１００の接点構造９０，１０１のそれぞれの接点が互いに接触する。このようにしてデータ、情報、電気的な供給電圧などを伝送することができる。たとえば制御装置８６は接点構造を介して、外部通信装置１００に電気的な供給電圧を供給する。
【００９２】
さらに、制御装置８６のデータインターフェース８３と外部通信装置１００のデータインターフェース１０８が、接点構造１０１および９１を用いて互いに接触する。データインターフェース８３，１０８はたとえばバスインターフェースを含んでいて、これを通じて外部通信装置１００と制御装置８６がデータや情報を通信することができる。
【００９３】
データインターフェース１０８，８３はたとえばバス接続を、特にＩ２Ｃバス接続を具体化する。これ以外のバス通信も可能である。さらにデータインターフェース８３，１０８は、たとえばパラレルデータ伝送のための個々のデータ接点も含むことができる。
【００９４】
モジュール収容部９０は、モジュール収容部９０の底面９３から前壁５０へと延びる側壁９２を含んでいる。モジュール収容部９０の中で、すなわち側壁９２と底面９３の間の内部空間の中で、外部通信装置１００の前壁１０５の裏面１０３から屹立する接触構造１０１を、モジュール収容部９０の底面９３に配置された接触構造９１に係合させることができ、またはこれと接触させることができる。すると前壁１０５の側壁面１０１が側壁９２と一直線上に並び、それにより、外部通信装置１００の前面または前壁１０５が、図１に示すように前壁９５と一直線上に並ぶ。モジュール収容部９０に外部通信装置１００のモジュールが差込接続されるだけで、それがすでに確実な保持のために作用する。さらなる固定をするために、たとえば図面には示さない係止装置、クランプ装置などの固定装置が設けられるのが好ましい。本例ではねじ止めが意図される。たとえばモジュール収容部９０に１つまたは２つのねじ収容部９４が設けられ、このねじ収容部が、外部通信装置がモジュール収容部９０へ収容されたときに、外部通信装置１００のねじ収容部１０４と一直線上に並ぶ。ねじ収容部１０４，９４の中に、図１に示唆しているねじをねじ込むことができる。
【００９５】
集塵機７０は、外部通信装置１００を用いてワイヤレス式および／またはリードレス式に、たとえばエネルギー蓄積器モジュール４０Ａまたは４０Ｂのワイヤレス通信インターフェース６０によって制御することができる。
【００９６】
ここで付言しておくと、ワイヤレス通信インターフェース６０は、システムコンポーネント１１および１２すなわちそれぞれのエネルギー蓄積器モジュールおよび工作機械を含むシステムのワイヤレス式の制御についての例示として理解されるべきものである。たとえば工作機械２０Ｃは、以下においてさらに説明する通信機能のうちの１つまたは複数を直接的に遂行するために、すなわち、ワイヤレス通信インターフェースを通じて集塵機７０とワイヤレス式に通信するそれぞれのエネルギー蓄積器モジュール４０なしに遂行するために、ワイヤレス通信インターフェース６０Ｃを装備していてよい。
【００９７】
外部通信装置１００はログオン操作部材１６０を用いて、外部通信装置１００との制御接続を新たに成立可能でない、また回復可能でない制御接続作業モードから、動作準備完了モードへと切り換えることができる。
【００９８】
動作準備完了モードまたは作業モードは、外部通信装置１００によって光学式および／または音響式に報知される。たとえば、外部通信装置１００のさまざまな動作モードを報知することができる表示装置１１４が設けられる。表示装置１１４はたとえばランプ表示器、特に環状のランプ表示器を含む。表示装置１１４はたとえばログオン操作部材１０６の周りまたはそばに配置される。ログオン操作部材１０６はたとえばキー１０７であり、その周りに表示装置１１４が延びているのが好ましい。
【００９９】
表示装置１１４は、恒常的に点灯しているときには、確立された制御接続すなわちステータス「接続」を報知する。外部通信装置１００がログオン操作部材１０６を用いて作業モードから動作準備完了モードへ切り換えられると、表示装置１１４がたとえば別の色で、または別の運動パターンで、特にゆっくりと円を描く運動パターンで点灯する。このような表示装置１１４の運動パターンまたは色は、制御接続の種類に依存していてよい。制御接続が、あとでまた説明するように、現在成立されるべき制御接続および／またはすでに成立している一時的な制御接続であるとき、たとえば表示装置１１４はゆっくりと円を描く点灯表示を有することができる。一方、制御接続が恒常的に確立または成立されるべきとき、すなわち、動作準備完了モードが恒常的な制御接続を成立させるのに適しているとき、表示装置１１４はこれとは別様に点灯する。たとえばその場合、表示装置１１４の円形の点灯がさらに高い頻度で行われる。
【０１００】
恒常的な制御接続のために、たとえば外部通信装置１００と接続された集塵機７０のシステム構成要素を形成する通信モジュール３００が設けられる。
【０１０１】
通信モジュール３００は集塵機ハウジング７１の外部に配置される、または配置可能である通信モジュールである。通信モジュール１００は、システムコンポーネント１１および／または１２のうちの１つの形態の電気器具と集塵機７０との、特に外部通信装置１０との制御接続を維持および／または成立させる役目を果たす。
【０１０２】
通信モジュール３００は、吸引ホース１５に配置可能であるモジュールハウジング３０１を有している。モジュールハウジング３０１はその上面３０２に、吸引ユニット７５をスイッチオン可能および／またはスイッチオフ可能である切換部材３３４を有するのが好都合である。切換部材３３４は人間工学的に好適なように上面３０２の大部分を占めており、それにより容易に取扱可能ないし操作可能である。切換部材３３４はたとえば押しボタン、ロッカースイッチなどである。
【０１０３】
モジュールハウジング３０１は、吸引ホース１５に合わせて適合化された形態を有している。たとえば、通信モジュール３００が吸引ホース１５に組み付けられた状態のときにその外側円周に位置することになる下側側壁３０６は、吸引ホース１５の丸い外側円周に合わせて適合化されて丸められた輪郭を有する。下側側壁３０６と上面または上側側壁３０２との間には、前面壁３０３、裏面壁３０４、ならびに長辺壁３０５が延びている。これらが内部空間を区切り、その中に通信モジュール３００の制御装置３３６が防護されて配置される。
【０１０４】
制御装置３３６は、たとえばプロセッサ３３７と記憶装置３３８を有し、ならびに、あとでまた説明する通信モジュール３００の機能を実行するためにプロセッサ３３７により実行することができるプログラムコードを含む少なくとも１つのプログラムモジュール３３９を有している。
【０１０５】
通信モジュール３００を吸引ホース１５へ組み付けるために、フック３０１が長辺壁３０５に設けられている。すなわちモジュールハウジング３０１は互いに反対を向く側に、それぞれ１つのフック３０７を有している。各々のフック３０７がフック突起３０８とフック凹部３０９とを有している。フック３０７は、たとえばクランプ留め具３２１などのホース保持部３２０（図８）を取り付けるための役目を果たす。ホース保持部３２０はその長辺領域３２２に、フック３０７と係合させることができるフック収容部３２３をそれぞれ有している。当然ながら、たとえば面ファスナーテープなどを用いた、これ以外の取付テクノロジーも可能である。吸引ホース１５の長辺１６および／または１７への通信モジュール３００の統合も考えられていてもよく、それは、たとえばそこに相応の管体、たとえばゴム、プラスチックなどからなる接続片や接続管が設けられている場合である。あるいは通信モジュール３００が吸引ホース１５に接着され、溶接され、またはその他の仕方で吸引ホース１５と結合されていてもよい。ただしこのことは、通信モジュール３００の通信機能にとって大きな役割を演じるものではない。とはいえ、人間工学的に好都合な吸引ホース１５への配置が好ましい。
【０１０６】
外部通信装置１００を作業モードから動作準備完了モードへと切り換えるために、ログオン操作部材３１６が設けられている。ログオン操作部材３１６は、たとえばキー３１７を含んでいる。ログオン操作部材３１６の機能はログオン操作部材１０６の機能に準ずるので、操作者はいわば同一の操作コンセプトを見出す。
【０１０７】
それに応じて表示装置３１４も、表示装置１１４と同一または類似に構成されている。たとえば表示装置３１４は、通信モジュール３００と外部通信装置１００との間の制御接続の成立および／または存在と関連する情報を報知するランプ表示器を含んでいる。
【０１０８】
操作者がたとえばログオン操作部材３１６を操作すると、特にキー３１７を押すと、特にブルートゥースインターフェース、ＷＬＡＮインターフェースなどの通信インターフェース３１１が通信インターフェース１１０に相応の制御信号を送信し、特に、動作準備完了モードへの切換をするための切換メッセージＳＮを送信する。それにより、外部通信装置１１０が動作準備完了モードへと切り換えられ、そのことを表示装置３１４が報知する。つまりログオン操作部材３１６の操作は、外部通信装置１００が作業モードから動作準備完了モードへと切り換わることをもたらす。制御信号を送信するために、通信モジュール３００と外部通信インターフェース１１０との間で暗号化および／または認証された接続が意図されるのが好ましい。
【０１０９】
切換部材３３４が操作されると、通信モジュール３００が吸引ユニット７５に対するスタートコマンドまたはスイッチオンコマンドを外部通信装置１００に送信し、それに伴って集塵機７０の制御装置８６に送信する。たとえば回転部材、スライド部材などの切換部材３３５を用いて、通信モジュール３００は外部通信装置１００へ、およびこれに伴って集塵機７０へ制御コマンドを送信することができ、これによってたとえば吸引ユニット７５の回転数および／またはその出力を調整可能である。したがって通信モジュール３００は、吸引ユニット７５に対する遠隔制御部としての役目を果たすことができる。遠隔制御機能についても、通信モジュール３００と外部通信装置１００との間の保全的な、および／または暗号化された制御接続が好ましい。
【０１１０】
通信モジュール３００は集塵機７０のシステムコンポーネントを形成するので、通信モジュール３００から外部通信装置１００への制御接続はいわば恒常的な制御接続である。このような種類の制御接続はその成立のために、システムコンポーネント１１または１２と集塵機７０との間の制御接続よりも高い難度を要請する。それに応じて、通信モジュール３００を集塵機７０ないし外部通信装置１００で認証またはログオンするために、たとえばログオン操作部材１０６および／または３１６が長く操作される。それに比べて、システムコンポーネント１１または１２のうちの１つと、たとえばエネルギー蓄積器モジュール４０と、外部通信装置１００との間の制御接続を成立させるためのログオン手順は、たとえばログオン操作部材１０６および／または３１６の短い操作を用いて容易に成立させることができる。
【０１１１】
工作機械２０Ａ，２０Ｂはエネルギー蓄積器モジュール４０Ａ，４０Ｂを用いて集塵機７０と通信し、これを制御接続Ｓ１およびＳ２を介して制御することができる。ただし制御コマンドは制御接続Ｓ１，Ｓ２を介して直接にではなく、外部通信装置１００での工作機械２０Ａ，２０Ｂの事前のログオン／認証の後で初めて送信することができる。すなわち、それぞれの制御接続Ｓ１，Ｓ２がまず最初に成立しなければならず、その後で、互いに離れているコンポーネント２０Ａ，７０ないし２０Ｂ，７０の間での制御コマンドおよび／またはメッセージ信号の伝送のために利用することができる。
【０１１２】
このときコンフィグレーションは、工作機械２０Ａ，２０Ｂが集塵機７０と直接ワイヤレス式に通信するのでなく、これらに付属する、これらに取り付けられたエネルギー蓄積器モジュール４０Ａ，４０Ｂを用いて通信するように行われる。ただし、ワイヤレス通信インターフェース６０との関連で以下に説明する通信を工作機械２０Ｂでも具体化可能であることも十分に可能であり、すなわち、たとえば制御接続Ｓ２に類似して直接的に（図示せず）、またはあとで明らかとなる通信モジュール３００Ｂおよび３００Ｃを介して間接的に具体化される。
【０１１３】
原則としてエネルギー蓄積器モジュール４０Ａ，４０Ｂは、ワイヤレス通信のために工作機械２０Ａ，２０Ｂにとってのいわばゲートウェイを特に制御方向で、すなわち工作機械２０Ａ，２０Ｂから集塵機７０に向かって形成する。あるいは、これと逆に集塵機７０から工作機械２０Ａ，２０Ｂに向かう通信方向も「ゲートウェイ」４０Ａ，４０Ｂを介して可能である。
【０１１４】
このような機能を特別に簡単に具体化可能にするために、エネルギー蓄積器モジュール２０Ａ，２０Ｂはインテリジェンスを有しており、それにより、たとえば集塵機７０とのワイヤレス通信を必要とする、もしくはそれを具体化する器具と接続されているのか、それともそれ以外の器具と、たとえば集塵機動作に適していないたとえばねじ締め器具、接着機械などの工作機械と接続されているのかを認識できるようになっている。特にエネルギー蓄積器モジュール４０Ａ，４０Ｂは、充電器具２２０と接続されているのか否かを検知することができる。
【０１１５】
すなわち充電器具２２０は、たとえばバスインターフェースＢＵを通じて照会メッセージ７００を制御装置４６に送信し、これによってエネルギー蓄積器４２の現在の充電状態、蓄積器セル４３の状態および／または最大の充電電圧、最大の充電電流などを照会する。制御装置４６は、相応の情報が保存されている応答メッセージ７０１をもって応答する。照会メッセージ７００の品質を参照して、すなわち、たとえば最大限許容される充電電流の大きさが照会されたという事実を参照して、エネルギー蓄積器モジュール４０が充電器具に接続されており、集塵機とのワイヤレス通信接続を必要とする工作機械２０Ａまたは２０Ｂのような種類の電力消費部が接続されているのではないことを認識する。
【０１１６】
あるいはこれ以外の情報も、充電器具２２０のような種類の充電器具への接続を認識するために、エネルギー蓄積器モジュール４０によって利用することができる。たとえば充電器具２２０から提供される充電電圧ＵＬは、電力消費部が接続されたときに回線Ｌ１とＬ２または供給接点５２Ａ，５２Ｂの間で印加される供給電圧ＵＶよりも高い。
【０１１７】
制御装置４６は、バスインターフェースまたはデータインターフェース５４を通じて電気エネルギーの供給を受ける。充電器具２２０から提供される、供給回線ＶＤまたはデータ接点５３Ａで印加される供給電圧ＵＢ２はその電圧高さに関して、電気式の手動工作機械２２０がデータ接点５３Ａで提供する供給電圧ＵＢ１と相違する。供給電圧ＵＢ１はたとえば３ボルトであり、供給電圧ＵＢ２は５ボルトである。
【０１１８】
データインターフェース５４には、電圧ＵＢ１およびＵＢ２の相違する電圧高さを検出するために、たとえば電圧測定装置６１、特に電圧センサ、抵抗回路などが設けられており、それにより制御装置４６は、充電器具（充電器具２２０）に接続されているのか、それとも工作機械２０Ａ，２０Ｂのような種類の電力消費部ないし電気式の工作機械に接続されているのかを認識することができる。
【０１１９】
制御装置４６は、エネルギー蓄積器モジュール４０が工作機械２０に接続されているか充電器具２２０に接続されているかに依存して、ワイヤレス通信インターフェース６０の動作モードを変更することが可能である。たとえば制御装置４６は、エネルギー蓄積器モジュール４０が工作機械２０に接続されているときにはワイヤレス通信インターフェース６０を作動化させ、それに対して、エネルギー蓄積器モジュール４０が充電器具２２０に接続されているときには、ワイヤレス通信インターフェース６０を不作動化する。
【０１２０】
エネルギー蓄積器モジュール４０が充電器具２２０に接続されているとき、制御装置４６がワイヤレス通信インターフェース６０を不作動化するのでなく、通信モードを変更することも可能である。たとえばエネルギー蓄積器モジュール４０が工作機械２０に接続されておらず、たとえば充電器具２２０と接続されているとき、またはこの種の接続を有していないとき、あとで説明するコンフィグレーション装置５００との、特にスマートフォンとの通信のために、ワイヤレス通信インターフェース６０をアクティブなままに保つことができる。たとえばスマートフォンなどのコンフィグレーション装置５００を用いて、たとえばプログラムデータなどをエネルギー蓄積器モジュール４０へ、たとえそれが工作機械２０と接続されていなくても伝送することができる。
【０１２１】
一方、エネルギー蓄積器モジュール４０Ａまたは４０Ｂが工作機械２０Ａまたは２０Ｂと接続されているときには、集塵機７０との、特にその外部通信装置１００とのワイヤレス通信が問題なく容易に可能である。
【０１２２】
機能・通信手順４００は、たとえば操作者Ｎの操作行為４０１をもって開始される。システム１０の操作者Ｎがたとえば集塵機７０を供給電源ＥＶに接続し、またはスイッチもしくは切換部材７８を操作して、集塵機が基本的に動作準備完了するように、すなわち機能４１０「作動中の状態」を有するようにする。
【０１２３】
これをうけて外部通信装置１００の制御装置１１７が状態４１１へと切り換わり、この状態のとき外部通信装置は集塵機７０を制御するためにすでに認証された器具となる。この状態４１１は、たとえば事前設定された時間のあいだ、特に１分または２分のあいだ続き、その後に再び終了する。このような時間的制約は、集塵機７０への認証されていないアクセスのリスクを低減する任意選択である。
【０１２４】
この機能性およびこれに続く機能性を実行するために、制御装置１１６は、たとえば外部通信装置１００の記憶装置１１８に格納されたプログラムモジュール１１９のプラグラムコードを実行するためのプロセッサ１１７を有する。
【０１２５】
プログラムモジュール１１９の機能４１２は、たとえばログオン操作部材１０６の情報の検出を可能にする。すなわち、操作者がたとえばステップ４１３でログオン操作部材１０６を操作すると、特に押すと、このことを機能４１２が出力コマンド４１４を用いて操作者Ｎに応答メッセージし、すなわちそれは、この機能が表示装置１１４を制御して、外部通信装置１００およびこれに伴って集塵機７０が新たな制御接続を成立させる準備を完了したことを操作者に示すことによる。外部通信装置１００は状態４１５へと移行し、すなわち、外部コンフィグレーション装置１００との制御接続を成立可能である動作準備完了モードへと移行する。
【０１２６】
通信モジュール４０は機能・通信手順４００の開始時には状態４３０「スリープ」にあり、すなわちインアクティブである。これを起点として、制御接続Ｓ１またはＳ２のうちの１つを成立させるための複数のシナリオが可能であり、そのうち以下においては第１のシナリオを説明する：
操作者Ｎがたとえば工作機械２０Ａの切換部材２４を操作して、これをスイッチオンする。しかし、工作機械２０Ａないしこれに割り当てられたエネルギー蓄積器モジュール４０Ａは、吸引ユニット７５をスイッチオンするための切換コマンドまたは制御コマンドを出力する認証をまだ受けていない。しかしこの種のログオンまたは認証は、操作者Ｎが切換部材２４を単に操作したときに、いわば自動的に行われる。
【０１２７】
操作者Ｎが切換部材２４を操作すると、工作機械２０Ａとエネルギー蓄積器モジュール４０Ａの間の通信関係がアクティブに切り換えられ、および／または成立する。エネルギー蓄積器モジュール４０は、すなわちエネルギー蓄積器モジュール４０Ａ，４０Ｂの各々は、切換部材２４の操作によってリリースされる動作情報を手掛かりにして、制御接続の成立と利用に適した器具が器具インターフェース５０に接続されていることを認識する。
【０１２８】
すなわちエネルギー蓄積器モジュール４０は、たとえば供給電圧ＵＶを参照して、電力消費部が接続されていることを認識することができる。この電圧ＵＶは、充電器具２２０の電圧ＵＬとは相違している。
【０１２９】
さらに別の動作情報は、たとえば制御装置２６から供給回線ＶＤまたはデータ接点５３ａに提供される供給電圧ＵＢ１でもあり得る。この供給電圧ＵＢ１は充電器具２２０の供給電圧ＵＢ２とは相違しており、特にこれよりも低い。すなわち、このようにして供給電圧ＵＢ１も切換部材２４の操作を表す指標の１つを形成する。
【０１３０】
さらに、バスＢＵでの初期化通信を、集塵機７０を制御する器具すなわち工作機械２０Ａまたは２０Ｂ（以下において工作機械２０とのみ呼ぶ）によるデータインターフェース５４の作動化を表す指標として制御装置４６によって評価することができる。たとえば照会メッセージ７５０が制御装置２６から制御装置４６に送信され、これによってたとえばエネルギー蓄積器モジュール４０の提供可能な供給電圧ＵＶが照会される。あるいは照会メッセージ７５０には、電気器具ないし工作機械２０を識別するデータ、たとえば工作機械２０Ａ，２０Ｂをダスト吸出しを必要とする工作機械として特徴づける識別記号７５１が含まれていてもよい。照会メッセージ７５０は、たとえば工作機械２０の動作準備完了情報である。制御装置４６は応答メッセージ７５２によって照会メッセージ７５０に応答し、照会された情報および／またはエネルギー蓄積器モジュールの充電状態などの情報を提供する。
【０１３１】
このように切換部材２４の操作によりリリースされる形で、エネルギー蓄積器モジュール４０がたとえばプログラムモジュール４１９の機能４３１でワイヤレス通信インターフェース６０を介して、送信プロセス４３２の一環としてログオンメッセージ４４０を外部通信装置１００に送信する。
【０１３２】
ログオンメッセージ４４０は、たとえばブロードキャスト送信器識別記号４４ｘを含んでおり、すなわち、集塵機７０にだけでなく、原則として受信準備が整った複数の集塵機に向けられるログオンメッセージを含んでいる。さらに、ログオンメッセージ４４０には認証パラメータ４４２が任意選択で記される。認証パラメータ４４２は、たとえばエネルギー蓄積器モジュール４０または工作機械２０の集塵機７０との基本的なシステム適合性を含んでいる。認証パラメータ４４２は、たとえば製造者識別記号などを含むことができる。
【０１３３】
外部通信装置１００は機能４１６によりログオンメッセージ４４０を受信する。機能４１６は事前設定された時間帯のあいだ、たとえば５００ｍｓｅｃから１０００ｍｓｅｃのあいだアクティブになる。この時間中に、ログオンをするエネルギー蓄積器モジュール４０によるログオン手順が完結していなければならないからである。外部通信装置１００はログオン受領確認メッセージ４４５をもって、エネルギー蓄積器モジュール４０のログオンを受領確認する。ログオン受領確認メッセージ４４５は、ステップまたは送信プロセス４１７で送信される。ログオン受領確認メッセージ４４５は、たとえばエネルギー蓄積器モジュール４０のアドレス識別記号４４６を送信者アドレスとして含んでいる。任意選択として、たとえばアクセスキー、パスワードなど、さらに別の情報４４７がログオン受領確認メッセージ４４５に含まれていてよい。あるいは情報４４７は、たとえば吸引ユニット７５の所要の、または設定されるべき吸引出力を特徴づけることもでき、その後の動作について好都合なその他の情報でもあり得る。
【０１３４】
ただし外部通信装置１００でのエネルギー蓄積器モジュール４０のログオンは、現在の動作のために必要である暫定的なログオンにすぎない。それに応じて、ログオンメッセージ４４０には暫定識別記号４４３が含まれるのが好ましく、それにより外部通信装置１００は、いわば暫定的なログオンないし暫定的な制御接続だけが希望されていることを知ることができる。
【０１３５】
ここでたとえば通信モジュール３００のいわば恒常的なログオンとの相違も明らかとなる。つまり通信モジュール３００をログオンするには、さらに手数のかかる、もしくはさらに難しい操作者Ｎの操作行為が必要であり、すなわち、たとえば暫定的なログオンの場合よりもログオン操作部材１０６を長く操作することが必要である。恒常的な制御接続または通信関係のための動作準備完了モードでは、外部通信装置１００が出力コマンド４１４で、暫定的な制御接続のためのログオンと比べて異なる信号を表示装置１１４への出力のために、たとえばＬＥＤの高速での点滅ないし短い周波数でのＬＥＤの点滅のために与える。最後に通信モジュール３００は、ログオンメッセージ４４０に匹敵するログオンメッセージの中に暫定識別記号４４３ではなく恒常識別記号を記す。
【０１３６】
ワイヤレス通信インターフェース６０ないしエネルギー蓄積器４０が集塵機７０ないし外部通信装置１００で成功裡にログオンすると、これら両方のコンポーネントは状態４１８「接続済み」へと移行する。恒常的にログオンされた通信モジュール３００もこの状態をとることになる。さらに追記しておくと、機能４３１は時間制限を含んでいるのが好ましい。切換部材２４がスイッチオンされてから、および／またはログオンメッセージ４４０が送信されてからたとえば５００から１０００ｍｓｅｃの事前設定された、または設定可能な時間内にログオン受領確認メッセージ４４５が現れないとき、そのログオン試行はいわば失敗する。
【０１３７】
状態４１８「接続済み」を起点として、認証手続および／または暗号化手続が意図されるのが好ましい。すなわちその後に確立される制御接続Ｓ１またはＳ２は、認証および／または暗号化されて行われるのが好ましい。
【０１３８】
たとえば外部通信装置１００は暗号化パラメータ４５１を用いて送信をする。すなわち、外部通信装置１００とエネルギー蓄積器モジュール４０Ａ，４０Ｂのうちの１つとの間で以前の暗号化ないし以前の通信がすでに存在しているとき、外部通信装置１００は既存のパラメータを援用する。たとえば外部通信装置の記憶装置１１８には、すでに以前に存在していたエネルギー蓄積器モジュール４０Ａ，４０Ｂへの制御接続のアドレス識別記号４４６ならびにこれに割り当てられた暗号化パラメータ４５１が保存される。
【０１３９】
例示として付言しておくと、これ以外のアドレス識別記号およびこれに割り当てられた暗号化パラメータが記憶装置１１８に保存されていてもよく、それは、たとえば工作機械２０Ｂのワイヤレス通信インターフェース６０Ｃと外部通信装置１００との間の制御接続についてのワイヤレス通信インターフェース６０Ｃのアドレス識別記号４４６Ｃならびに暗号化パラメータ４５１Ｃである。
【０１４０】
ここでさらに付言しておくと、外部通信装置１００は、それぞれのエネルギー蓄積器モジュール４０について暗号化パラメータが既知でないとき、メッセージ４５５を用いて暗号化パラメータ４５１を、または別の新しい暗号化パラメータ４５６を送信し、それにより、それぞれのコンポーネント１００，４０の間での暗号化された通信が可能となり、そのようにして状態４２１「暗号化された接続」が実現される。
【０１４１】
任意選択として外部通信装置１００は、特にその制御装置１１６は、表示装置１１４を制御し（ステップ４２３Ａ）、それによりこの表示装置が、存在している暗号化された接続を報知する。そのとき表示装置１１４はたとえば恒常的に点灯する。
【０１４２】
１つのエネルギー蓄積器モジュールにおいて、複数のアドレス識別記号および／または暗号化パラメータが保存されていることも可能である。たとえばエネルギー蓄積器モジュール４０ないし制御装置４６において、図面には示さない別の集塵機のアドレスデータと暗号化データを、すなわちたとえばこの別の集塵機のアドレス識別記号４４１Ｂと暗号化パラメータ４５１Ｂを保存していることが意図されていてよい。このようにエネルギー蓄積器モジュール４０も、必要時には、いわば他の集塵機に直接的にアクセスすることができる。
【０１４３】
機能通信手順４００に戻ると、その後の通信はたとえば次のように進行する：
機能４３３「スイッチオン」でエネルギー蓄積器モジュール４０が、たとえば制御装置４６が、たとえばスイッチオン識別記号４６１を含む制御コマンド４６０を送信プロセス４３４で送信する。さらに制御装置４６が作動化ステップ４３５で、確立された制御接続Ｓ１またはＳ２を表示するために表示装置４４を作動化する。するとたとえばランプ４４５が青色に点灯し、または、充電状態の表示とは別のパターンで点灯する。
【０１４４】
制御コマンド４６０を受けた後に外部通信装置１００がたとえば制御装置８６を制御し、それにより、これがステップ４２２で吸引ユニット７５をスイッチオンする。さらに外部通信装置１００は、特にその制御装置１１６は表示装置１１４を制御し（ステップ４２３）、それにより、これが吸引ユニット７５のスイッチオンを報知する。すると、たとえば表示装置１１４が恒常的に点灯する。
【０１４５】
操作者Ｎが切換部材２４を離すと、たとえば駆動モータ２２を通る通電が終了する。たとえば相応の電流センサ６２を参照して、このことを制御装置４６が検出することができる。供給電圧またはバス電圧ＵＢ１もこのケースでは低く、または小さい。さらに、エネルギー蓄積器モジュール４０がデータインターフェースまたはバスインターフェース３４、５４を介して、メッセージ７５３「モータをスイッチオフ」をアクティブに送信することが可能である。操作者Ｎの操作ステップ４０３によってリリースされるこれらのリリース結果の１つまたは複数が、エネルギー蓄積器モジュール４０の機能４３６「スイッチオフ」をもたらす。そしてこれが送信プロセス４３７で、好ましくは吸引ユニット７５の事前設定された遅延時間の後に吸引ユニット７５をスイッチオフするための制御コマンド４６２を送信し、このメッセージまたは制御コマンド４６２はスイッチオフ識別記号４６３を含んでいる。スイッチオフ識別記号４６３には、たとえば集塵機７０ないし吸引ユニット７５についての遅延時間が記されていてよい。
【０１４６】
照会メッセージ７５０およびメッセージ７５３は受信情報ＥＭを形成し、これをエネルギー蓄積器モジュール４０がデータインターフェース５４で受信して、これに依存して送信信号ＳＩＩすなわちたとえばログオンメッセージ４４０をワイヤレス通信インターフェース６０に出力する。
【０１４７】
応答メッセージ４４５はたとえば受信信号ＥＳＩであり、これを用いてエネルギー蓄積器モジュール４０がデータインターフェース５４で応答メッセージ７５２を送信情報ＳＭとして出力する。
【０１４８】
機能４２７「スイッチオフ」では、通信装置１００が直接的に、または制御装置８６の制御のもとで、スイッチオフするように吸引ユニット７５を制御するとともに、制御の終了を表示するように表示装置１１４を制御する。たとえば機能４２７は制御コマンド４２５を吸引ユニット７５へ直接的に出し、または制御装置８６すなわちデータインターフェース８３および１０８を介して出す。
【０１４９】
工作機械２０の切換部材２４が再び操作されると、エネルギー蓄積器モジュール４０は吸引ユニット７５をスイッチオンおよびスイッチオフするために、さらに別の後続の制御コマンド４６０および４６２を送信することができる。事前設定された時間の後、エネルギー蓄積器モジュールと外部通信装置１００の間のそれぞれの制御接続が終了することが意図されるのが好ましく、それにより、たとえば外部通信装置は状態４２８（状態４１１に相当）へと移行して、制御接続を成立させるために認証された器具を探す。それに対してエネルギー蓄積器モジュール４０は状態４３９へ、すなわち状態「スリープ」へ、状態４３０に準じて移行する。エネルギー蓄積器モジュール４０から外部通信装置１００または集塵機７０への制御接続が終了すると、機能４３６が表示装置４４へこの新たな動作状態を出力するのが好都合であり、それは、表示装置４４が不作動化ステップ４３８での制御によって制御接続の終了を報知するように制御されることによる。するとランプ４５がたとえば青色ではなく緑色に点灯して、エネルギー蓄積器４２の充電状態を報知する。
【０１５０】
さらに、工作機械２０はバスＢＵを通じてコンフィグレーションメッセージ７５４をエネルギー蓄積器モジュール４０に送信することが可能である。コンフィグレーションメッセージ７５４には、たとえば集塵機７０を調整するためのコンフィグレーションデータ７５５が記され、それは、たとえば吸引ユニット７５の必要な吸引出力、工作機械２０で生成されるダスト中の典型的な粒子量などである。エネルギー蓄積器モジュール４０はこれらのデータをワイヤレス通信インターフェース６０を通じて外部通信装置１００へ集塵機７０のコンフィグレーションのために、たとえばコンフィグレーションメッセージ４６５として転送するのが好ましい。外部通信装置１００はコンフィグレーションデータ７５５を制御装置８６へ以後の処理のために、特に吸引ユニットの適切な制御のために、たとえば送信プロセス４３７’を用いて転送する。
【０１５１】
制御装置８６および／または外部通信装置１００がコンフィグレーションデータ７５５を恒常的に、かつそれぞれの工作機械２０Ａおよび２０Ｂに割り当てたうえで、たとえば記憶装置８８および／または１１８に保存すると好ましい。
【０１５２】
さらに、保存されているコンフィグレーションを操作者が、たとえば操作部材構造７７を操作することで、いわばオーバーライドすることができると好ましい。たとえば切換部材７８Ａで、吸引ユニット７５の吸引出力を調整可能であってよい。
【０１５３】
集塵機がそれぞれの工作機械によって、たとえば工作機械２０Ａまたは２０Ｂのうちの１つによって現在制御されているときに、操作者により集塵機で直接設定された吸引パラメータが、特に切換部材７８Ａまたは操作部材構造７７のその他の操作部材で設定された吸引パラメータが、制御装置８６および／または外部通信装置１００によって恒常的に、かつそれぞれの工作機械２０Ａおよび２０Ｂに割り当てたうえで、たとえば記憶装置８８および／または１１８に保存されることが可能である。このシナリオでは、コンフィグレーションデータ７５５または吸引パラメータが工作機械２０Ａまたは２０Ｂからワイヤレス式に送信されることが可能であるが、絶対に必要というわけではない。
【０１５４】
あるいは、エネルギー蓄積器モジュール４０と工作機械２０が互いに結合されたときに、制御接続の成立をいわば自動的に行うこともできる。以下において、エネルギー蓄積器モジュール４０のうちの１つを例にとってこのことを説明する。あるいは、エネルギー蓄積器モジュール４０によるエネルギー供給がいわば開始されたときに、ないしはこれが器具インターフェース３０に配置されたときに、たとえばワイヤレス通信インターフェース６０Ｃがこのような方式でいわば自動的に、集塵機７０または外部通信装置１００へのそれぞれの制御接続を成立させることも可能である。
【０１５５】
たとえばエネルギー蓄積器モジュール４０および／または工作機械２０はキャパシタンスセンサ６６，３６を有することができ、これらによって供給接点３２Ａ，３２Ｂないし５２Ａ，５２Ｂの間のキャパシタンスＣ１およびＣ２を測定可能である。すなわち容量比率は回線Ｌ１とＬ２の間で、すなわちエネルギー供給をする接点またはエネルギー供給をする回線で、それぞれのエネルギー蓄積器モジュール４０が工作機械２０に取り付けられたときに変化する。センサ３６，６６は制御装置２６，４６と接続されており、またはこれらと通信する。すなわち、たとえば制御装置４６は、工作機械２０が接続されていることを、すなわち動作状態が実現されたことをセンサ６６が認識したとき、ログオンメッセージ４４０を自動的に送信する。
【０１５６】
エネルギー蓄積器モジュール４０と工作機械２０および／または集塵機の間の分断状態／または動作状態を認識するために、動作状態または分断状態をチェックするために、特にチェックするためだけに設けられる少なくとも１つのチェックメッセージがデータインターフェースで、たとえばバスインターフェースＢＵで意図されていてよい。たとえば一種のＰｉｎｇメッセージがそのために意図されていてよい。プロセッサ２７が、および／または前述した目的のために専用に設けられる工作機械２０または充電器具２２０のプロセッサ２７Ａが、チェックメッセージＣＫを特に周期的に送信することができ、エネルギー蓄積器モジュール４０はこれを参照して、たとえばそれが工作機械２０または充電器具２２０に接続されていることや、その種の器具への接続が存在しないことを認識する。チェックメッセージＣＫを受信するためにプロセッサ４７が、または当該メッセージについて専用に設けられるプロセッサ４７Ａが、エネルギー蓄積器モジュール４０に存在することが可能である。プロセッサ４７および／または４７ＡはチェックメッセージＣＫに対する応答として、たとえば応答メッセージＲＰを送信する。
【０１５７】
これ以外の方法でも、エネルギー蓄積器モジュール４０と工作機械２０が分断状態にあるか、それとも器具インターフェース３０，５０が互いに結合された、互いに接続された動作状態にあるかをセンサで検出することができる。
【０１５８】
たとえばセンサ５８が、固定装置５５の操作部材５７の操作を走査することができる。操作者が操作部材５７を押したとき、すなわち固定装置５５の固定を解除しようとしたとき、このことは動作状態から分断状態への移行として判断される。エネルギー蓄積器モジュール４０は、特にワイヤレス通信インターフェース６０は、このようなケースではたとえば制御接続Ｓ１またはＳ２を自動的に終了することができる。そのためにワイヤレス通信インターフェース６０は、たとえば相応の分断コマンドまたは分断メッセージを送信する。コンポーネント２０および４０が互いに分断されるので、操作部材５７の操作によって集塵機７０もスイッチオフすることができると特別に好ましい。たとえば制御装置４６は、センサ５８によって検出可能である操作部材５７の操作時に、制御コマンド４６２を送信する。
【０１５９】
あるいは、たとえば１つまたは複数の運動センサが設けられ、たとえばエネルギー蓄積器モジュール４０に運動センサ５９、工作機械２０に運動センサ５９Ｂが設けられることも可能である。運動センサ５９，５９Ｂが同一形状の運動を報知しているとき、制御装置４６，２６はそのことを相互に通信し、それにより、エネルギー蓄積器４０と工作機械２０が動作状態にあり、すなわち相互に取り付けられた状態にあると認識することができる。
【０１６０】
さらに、たとえば光学センサ６８またはその他の近接センサが、器具インターフェース３０がいつ器具インターフェース５０に取り付けられたかを検出することが可能である。光学センサまたは近接センサ６８が一例として図５のエネルギー蓄積器モジュール４０Ａに図示されているが、工作機械２０の器具インターフェース３０にも容易に設けられ得る（図４参照）。
【０１６１】
近接センサまたは光学センサ６８に類似して（たとえば超音波センサ、磁気センサなどが設けられていてもよいであろう）、電気式のスイッチ６８、特に押しボタンスイッチまたはキー式スイッチも、差込・形状接合輪郭５１および３１が互いに係合したときに、すなわち器具インターフェース３０，５０が機械的に互いに結合されたときに、操作される。このように電気式のスイッチ６９も、器具インターフェース３０，５０の動作状態を分断状態から区別することができ、ワイヤレス通信インターフェース６０Ｃまたはエネルギー蓄積器モジュール４０がログオンメッセージ４４０を送信することにつながる。
【０１６２】
エネルギー蓄積器モジュール４０が受信情報ＥＭの枠内で少なくとも１つのステータス情報を、特にエラー情報および／または電気器具のスイッチの切換位置および／または少なくとも１つの識別情報、たとえば電気器具のシリアルナンバーを受信することも可能である。たとえばエネルギー蓄積器モジュール４０は、エラー情報をステータス情報２９Ｃとして、および識別情報２９Ｄを、たとえば工作機械２０の一義的な識別子またはシリアルナンバーを、工作機械２０から受信することができる。このとき、工作機械２０がこれらの受信情報ＥＭをデータインターフェース５４を介して自発的に、すなわち工作機械２０でのエネルギー蓄積器モジュール４０による事前の照会なしに、送信することが可能であり、または、エネルギー蓄積器モジュール４０がこれらの受信情報ＥＭを工作機械２０で照会することが可能である。エラー情報は、たとえば工作機械２０の過熱や電気的な過負荷を表すことができる。識別情報２９Ｄは型式識別記号も含むことができ、それにより、たとえば特にねじ締め器具、鋸機械などの工作機械２０の種類を、識別情報２９Ｄを参照して認識可能である。
【０１６３】
前述した受信情報ＥＭはたとえば安全性関連ではなく、または機密保持されるものではない。そのことが特に好ましいのは、エネルギー蓄積器モジュール４０がこれらの受信情報ＥＭをブロードキャスト通信またはアドバタイジング通信の枠内で周期的もしくは定期的に、および／または分断状態から動作状態への移行時に、すなわち工作機械２０への接続時に、特に暗号化せずに送信する場合である。当然ながら、たとえば暗号化パラメータがエネルギー蓄積器モジュール４０とコンフィグレーション装置５００またはその他の受信をする器具との間ですでに交換されている場合には、暗号化された通信を行うこともできる。前述したいずれのシナリオにおいても、たとえばコンフィグレーション装置５００は識別情報２９Ｄおよび／またはステータス情報２９Ｃをエネルギー蓄積器モジュール４０から受信することができる。
【０１６４】
集塵機７０は、説明したように、１つまたは複数の通信モジュール３００を有することができる。複数のコンフィグレーションモジュール３００Ａ，３００Ｂおよび３００Ｃを有する構造は任意選択であり、すなわち、たとえばこれらの通信モジュールのうち１つだけが設けられていてよく、あるいは１つも有さなくてよい。それでも集塵機７０は機能するはずである。
【０１６５】
通信モジュール３００Ａはその通信インターフェース３１１を用いて、制御接続を維持または成立させるために利用することができる。たとえば通信モジュール３００Ｂおよび３００Ｃによって少なくとも部分的に成立する、および／または維持される、手動工作機械２０Ｂまたはエネルギー蓄積器モジュール４０Ｂから集塵機７０ないし外部通信装置１００への制御接続Ｓ６を成立させることができる。
【０１６６】
たとえば工作機械２０Ａのワイヤレス通信インターフェース６０Ｃ、またはエネルギー蓄積器モジュール４０Ｂのワイヤレス通信インターフェース６０は、区画Ｓ６１でまず通信モジュール３００と通信することができ、それによりたとえば制御コマンド４６０および／または４６２を送信し、すなわち吸引ユニット７５をスイッチオンおよびスイッチオフする。通信区域または接続区画Ｓ６．２で、通信モジュール３００がこの情報または制御コマンドを通信モジュール３００Ｂへ通信し、さらにこれが受信した制御コマンドまたは受信した情報を、接続区画Ｓ６３で、外部通信装置１００または集塵機７０へと転送する。通信モジュール３００Ｂおよび３００Ｃは、一方におけるシステムコンポーネント２０Ｂ／４０Ｂおよび他方における集塵機７０ないし通信装置１００に対して短い距離でのみ配置されているので、接続区画Ｓ６１およびＳ６３は短い。それに応じて、外部通信装置１００とワイヤレス通信インターフェース６０／６０Ｃの送信出力も特別に低くされ得る。
【０１６７】
特に、それぞれの通信モジュール３００Ｂとワイヤレス通信インターフェース６０、６０Ｃとの間の、または通信モジュール３００Ｃと外部通信装置１００との間の短い伝送経路では送信出力が特別に低いばかりでなく、安全性の側面も特別に好都合である。たとえば通信モジュール３００Ｂおよび３００Ｃの受信到達距離は、第三者の干渉情報や障害となる制御コマンドが通信モジュール３００Ｂおよび３３０Ｃによってそもそも受信、転送されない程度に短く構成されていてよい。
【０１６８】
当然ながら、通信モジュール３００Ｂおよび３００Ｃは集塵機７０から送信される情報もエネルギー蓄積器モジュール４０Ｂまたは工作機械２０Ｂへ転送することができ、すなわち、集塵機から工作機械へ、またはその逆に工作機械から集塵機へ単方向に、あるいは双方向にも作動することができる。ゲートウェイ機能は双方向なのが好都合である。たとえば集塵機７０は、このケースでは通知接続である制御接続Ｓ６を通じて、たとえば汚物収集室７３の充填レベルを通知することができ、それにより、ダスト排出が可能でなくなったときに、場合により工作機械２０Ｂがその動作を中止する。
【０１６９】
通信モジュール３００Ａおよび３００Ｂも工作機械２２Ａと集塵機７０の間で、このようにして容易にゲートウェイ機能を具体化することができる。
【０１７０】
ゲートウェイ機能の具体化のために２つの通信モジュールが設けられ、そのうち一方が集塵機の近傍に配置され、他方が工作機械またはそのエネルギー蓄積器モジュールの近傍に配置されることは必ずしも必要ではない。たとえば通信モジュール３００が、たとえば通信モジュール３００Ａが、外部通信装置１００とエネルギー蓄積器モジュール４０Ａの間でゲートウェイとしての役目を果たすことが可能である。
【０１７１】
通信関係および特に制御関係の成立にあたっても、通信モジュール３００がサポートをすることができる。さらに通信モジュール３００は以下に述べる仕方により、外部通信装置１００との制御または通信をするワイヤレス接続についても認証を受けることができる。
【０１７２】
たとえば外部通信装置１００は、通信インターフェース１１０とは区別される第２の標準に基づく通信インターフェース１０９を有する。たとえば通信インターフェース１１０の第１の標準はブルートゥース・ＷＬＡＮまたはその他の標準であり、それに対して通信インターフェース１０９の第２の標準は近距離無線通信用に仕向けられ、たとえばＲＦＩＤ通信インターフェースであり、あるいはＮＦＣ通信インターフェースである。
【０１７３】
システム１０のその他のコンポーネントも、このような第２の標準の別の通信インターフェースを有するのが好都合である。たとえば通信モジュール３００には、このような種類の通信インターフェース３１８が存在している。エネルギー蓄積器モジュール４０も、このような種類の第２の標準の通信インターフェースを、すなわち通信インターフェース６７を有することができる。最後に、第２の標準の通信インターフェースは集塵機ハウジング７１の表面または内部に直接的に、特に通信インターフェース８４として設けられていてもよい。
【０１７４】
第２の標準の、たとえば近距離無線通信標準の通信インターフェースは、制御接続または通知接続Ｓ１，Ｓ２のために必要な通信パラメータを保存および／または伝送するための役目を果たす。通信モジュール３００Ａおよび３００Ｂが集塵機７０を制御する、たとえば吸引ユニット７５をスイッチオンおよびスイッチオフする制御接続Ｓ３およびＳ４も、このようにしていわば認証またはパラメータ化することができる。最後に、すなわち制御接続Ｓ６も、第２の標準の通信インターフェースを用いたうえでゲートウェイ機能に合わせて調整することができる。
【０１７５】
以下においていくつかの変形例を提案する：
たとえば、通信インターフェース８４および／または通信インターフェース１０９では通信パラメータ８５として、集塵機７０または外部通信装置１００との制御接続を成立させるために必要である、集塵機７０のアドレス識別記号４４１および暗号化パラメータ４５１が保存される。これらの通信モジュール３００Ａ，３００Ｂまたは３００Ｃのうちの１つがその通信インターフェース３１８とともに通信インターフェース１０９および／または通信インターフェース８４の送信領域に入ると、通信パラメータ８５を読み出すことができる。これと逆の方式も可能であり、たとえば通信モジュール３００の通信パラメータがこれに保存され、通信インターフェース１０９，８４のうちの一方または両方によって読出可能である。
【０１７６】
あるいはこのようにして、ワイヤレス通信インターフェース６０または６０Ｃをコンフィグレーションすることもできる。たとえば工作機械２０の通信インターフェース３７は、通信インターフェース８４の近傍にあるときに、通信パラメータ８５を読み出すことができる。それぞれのエネルギー蓄積器モジュール４０もその通信インターフェース６７を用いて、通信パラメータ８５を通信インターフェース８４および／または１０９から読み出し、ないしはこれから受信することができる。
【０１７７】
外部通信装置１００に対する通信モジュール３００および／またはエネルギー蓄積器モジュール４０Ｂの制御接続を成立させるために、たとえば通信インターフェース９０９をたとえばＮＦＣ送信器またはＲＦＩＤ送信器の形態で具体化することもできる。通信インターフェース９０９は、たとえば吸引ホース１５の長手方向端部領域１７に配置される。たとえば通信インターフェース９０９は、集塵機７０または８７０の読出をする相応の通信インターフェース９１０によって読出可能である、第１の標準についての通信パラメータを含んでいる。通信インターフェース９０９はたとえばＲＦＩＤタグ、ＮＦＣタグなどであってよい。通信インターフェース９０９には、たとえば吸引ホース１５のホースジオメトリー、特にその長さおよびまたは直径など、さらに別のパラメータ９１１も保存されていてよく、このような別のパラメータ９１１も通信インターフェース９１０によって読出可能である。
【０１７８】
さらに、第２の標準の通信インターフェースのうちの１つまたは複数が、いわばトランスファ通信パラメータとしての役目を果たすことが可能である。たとえば通信モジュール３００Ｂは、通信パラメータ８５を集塵機ハウジング７１で、すなわち通信インターフェース８４および／または１０９で直接的に読み出すことができ、そして、これを工作機械２０Ｂおよび／またはエネルギー蓄積器モジュール４０Ｂへ伝送することができる。通信モジュール３００Ｂは、このケースではいわば通信パラメータ８５の中間記憶装置である。
【０１７９】
外部通信装置１００ないし集塵機７０を制御接続の成立のために動作準備完了モードに切り換えるさらに別の選択肢が、たとえば加速度センサまたは運動センサ３１２によって具体化される。加速度センサ３１２は加速度信号を制御装置３３６に送信し、これが加速度センサ３１２の運動信号または通知信号を参照して、手動工作機械２０Ａ，２０Ｂへの吸引ホース１５の典型的な接合運動または組付運動を認識する。たとえば制御装置３３６は加速度センサ３１２を参照して、事前設定された長さを有する、すなわち吸引吐出部３９のうちの１つへ吸引ホース１５を接合するときの差込距離を有する、直線運動および／または回転運動をなす典型的な差込運動を認識する。
【０１８０】
さらに、エネルギー蓄積器モジュールまたは工作機械の内部にある別の運動センサを用いて運動パターンが認識されることが可能である。たとえばエネルギー蓄積器モジュール４０の運動センサ５９は運動パターンを検出し、これをワイヤレス通信インターフェース６０を介して通信モジュール３００に伝送することができる。通信モジュール３００は運動センサ５９の運動パターンを、運動センサまたは加速度センサ３１２の運動パターンと比較する。両方の運動パターンが同一であれば、このことは、吸引ホース１５が工作機械２０に取り付けられていること、または取り付けられることを表す指標であり、それは、たとえば運動パターンが同じ向きであるが反転している場合である。このような情報を参照して、通信モジュール３００はたとえば制御接続Ｓ１またはＳ２を構築することができる。すなわち、運動センサ３１２および／または５９の運動パターンの認識が、たとえばそれぞれの制御接続Ｓ１またはＳ２の成立および／またはペアリング機能を、特にログオンメッセージ３６０の送信をリリースすることができる。
【０１８１】
コンフィグレーションおよび／または制御をするために、工作機械、エネルギー蓄積器モジュール、吸引ホース、および集塵機のシステムの外部にある器具、すなわちたとえばコンフィグレーション装置５００なども利用することができる。コンフィグレーション装置５００はたとえばコンピュータ、特にスマートフォン、スマートウォッチ、タブレットコンピュータなどである。コンフィグレーション装置５００は、吸引ホース１５および集塵機７０から独立した移動型のハウジング５０１を有している。さらにハウジング５０１は、工作機械２０またはエネルギー蓄積器モジュール４０のうちの１つの構成要素ではない。あるは、たとえば集塵機７０にモジュール収容部９６が存在し、その中に、遠隔操作にも適したコンフィグレーション装置５００を差込可能であることも考えられよう。コンフィグレーション装置５００は、利用者Ｎのために情報を出力するために、ならびにコマンドを入力するために、表示装置５０２ならびに入力手段５０３を有している。入力手段５０３は、たとえばタッチパッドのような形式で、表示装置５０２の構成要素であってよい。
【０１８２】
コンフィグレーション装置５００は、プロセッサ５０７ならびに記憶装置５０８を備えた制御装置５０６を有している。記憶装置５０８には１つまたは複数のプログラムモジュール５０９が格納されていて、そのプログラムコードをプロセッサ５０７により実行可能である。さらに記憶装置５０８には、制御接続Ｓ１−Ｓ４をコンフィグレーションするのに適していてよいコンフィグレーションモジュール５１０が格納されている。コンフィグレーションモジュール５１０は、プロセッサ５０７により実行可能であるプログラムコードを有している。コンフィグレーション装置５００は、通信モジュール３００と同じ形式で集塵機７０を直接的に制御することができる。そのために、たとえば外部通信装置１００と直接的に通信することができる通信インターフェース５１１、特にブルートゥースインターフェース、ＷＬＡＮインターフェースなどが設けられている。たとえば入力手段５０３での入力が、ログオン操作部材３１６または１０６のうちの１つの操作と同じ形式で可能である。そしてコンフィグレーション装置５００は、たとえばコンフィグレーションモジュール５１０のプログラムコードを実行して、エネルギー蓄積器モジュール４０または工作機械２０を制御接続の成立のために認証可能である動作準備完了モードへと外部通信装置１００を切り換える。
【０１８３】
さらにコンフィグレーション装置５００は、第２の標準を有するコンフィグレーションインターフェース５１２、たとえばＲＦＩＤインターフェースを有するのが好都合である。このように、コンフィグレーション装置５００はたとえばコンフィグレーションパラメータ８５を読み出すことができ、および／または送信することができる。
【０１８４】
ここで再度追記しておくと、当然ながら、工作機械２０をさらに別の標準のその通信インターフェース３７とともに、および／またはエネルギー蓄積器モジュール４０をその通信インターフェース６７とともに、集塵機ハウジング７１および／または外部通信装置１００の近傍へ直接的に移すことができ、それにより通信パラメータ８５を読み出し、および／または自身の通信パラメータをそこへ送信する。
【０１８５】
ここで再度追記しておくと、当然ながら、工作機械２０をさらに別の標準のその通信インターフェース３７とともに、および／またはエネルギー蓄積器モジュール４０をその通信インターフェース６７とともに、集塵機ハウジング７１および／または外部通信装置１００の近傍へ直接的に移すことができ、それにより通信パラメータ８５を読み出し、および／または自身の通信パラメータをそこへ送信する。このように、工作機械２０およびエネルギー蓄積器モジュール４０も集塵機７０と同様に、第１および第２の通信標準の通信インターフェースをそれぞれ備えるコンフィグレーションモジュールを形成する。
【０１８６】
さらにコンフィグレーション装置５００は、たとえばソフトウェアまたは少なくとも１つのプログラムモジュール、コンフィグレーションデータなどを、エネルギー蓄積器モジュール４０のうちの１つおよび／または工作機械２０のうちの１つへロードするのに適している。その際にワイヤレス通信インターフェース６０，６０Ｃは、コンフィグレーション装置５００の通信インターフェース５１１と直接的に通信するのが好ましい。このようにして、たとえばプログラムモジュール４９をエネルギー蓄積器モジュール４０へ、またはプログラムモジュール２９を工作機械２０へ伝送することができる。さらに、たとえば工作機械２０についてのコンフィグレーションデータ２９Ａを、たとえば動作パラメータおよび／または機械設定（最大回転数、最大の出力、利用期間制限など）を、伝送することができる。プログラムモジュール２９は直接的に、たとえば通信インターフェース６０を通じて工作機械２０へ、または間接的にエネルギー蓄積器モジュール４０すなわちそのワイヤレス通信インターフェース６０を介して、および互いに通信をするデータインターフェース３４，５４を介して、エネルギー蓄積器モジュール４０からさらに工作機械２０へ、特にその制御装置２６へ伝送することができる。
【０１８７】
当然ながら、エネルギー蓄積器モジュールに対する工作機械のゲートウェイ機能も可能であり、すなわち、たとえばワイヤレス通信インターフェース６０Ｃがエネルギー蓄積器モジュール４０についてのプログラムモジュール４９を受信し、データインターフェース３４，５４を通じてエネルギー蓄積器モジュール４０に伝送する。
【０１８８】
これと逆の方向で、たとえばエネルギー蓄積器モジュール４０によって工作機械２０のデータを受信し、コンフィグレーション装置５００へ伝送することができ、それはたとえばプロトコルデータ２９Ｂ、特にエラー記憶装置のデータ、ログファイルのデータなどである。エラー記憶装置には、たとえば工作機械２０の作動時に発生したエラー、特に温度超過などが含まれていてよい。ログファイルは、たとえば工作機械２０の使用に関するデータを含む。いわばゲートウェイとして作用するエネルギー蓄積器モジュール４０を利用したうえで、たとえば使用期間、エラー状況などを工作機械２０からコンフィグレーション装置５００を用いて読み出すことができる。工作機械２０が独自の無線インターフェースやその他のワイヤレスインターフェースを有する必要はない。
【０１８９】
制御接続Ｓ１−Ｓ６では制御をする情報、たとえば吸引ユニット７５に対する切換コマンド、それぞれの工作機械２０のダスト種別、回転数調節、消費出力、圧着力、粒子発生またはダスト発生などを送信することができる。さらに集塵機７０のコンフィグレーションが可能であり、すなわち、制御接続Ｓ１−Ｓ６のうちの１つまたは複数を通じてコンフィグレーションデータまたは通知データが、たとえば吸引ユニットのスイッチオフ後の遅延時間、吸引ユニットの必要な出力などが、工作機械２０および／またはエネルギー蓄積器モジュール４０から集塵機２０へと伝送される。
【０１９０】
コンフィグレーション装置５００は、機能・通信手順４００に基づき、外部通信装置１００に暫定的にログオンすることができる。しかしながら、通信モジュール３００と同じ形式での恒常的なログオンが好ましい。集塵機７０ないし外部通信装置１００でコンフィグレーション装置５００を認証ないしログオンするために、たとえばログオン操作部材１０６が長く押される。このようにして、認証された資格のある器具だけがログオンされることが保証される。
【０１９１】
以下において、優先順位・保全コンセプトについてさらに提案する：
集塵機７０の優先的な制御のために、集塵機７０で制御のために恒常的にログオンされているシステム１０のコンポーネント、たとえば電源接続された工作機械２０Ｃおよび通信モジュール３００ならびにコンフィグレーション装置５００が設けられる。これらのコンポーネントのうちの１つから吸引ユニット７５に対するスイッチオン信号またはスイッチオフ信号が来ると、このことは集塵機７０によって、特にその制御装置８６によって、エネルギー蓄積器モジュール４０を装備する工作機械２０Ａおよび２０Ｃの相応の制御コマンドよりも優先的に取り扱われる。
【０１９２】
さらに、操作部材構造７７の操作部材のうちの１つでの操作が優先される。すなわち、たとえば切換部材７８が操作されると、他のあらゆる制御接続が劣位になる。
【０１９３】
遠隔操作では、すなわちたとえば通信モジュール３００やコンフィグレーション装置５００では、集塵機７０との１対１の関係が意図される。したがって、遠隔操作が誤って別の集塵機を制御することがあり得ない。同様に、常に１つの工作機械だけがエネルギー蓄積器モジュールとともに集塵機７０で認証されて、これを制御することができると常に好ましい。他の工作機械または新たな工作機械が認証されるとただちに、以前に認証されていた機械の認証は解消される。このように、制御接続Ｓ１またはＳ２のうちの常に一方だけが具体的な実施例において可能である。
【０１９４】
差込コンセント７９の電流検出に代えて、またはその補足として、圧縮空気検出が意図されていてもよい。このように、たとえば圧縮空気で作動する器具、たとえば研削機械や研磨機械を集塵機７０に接続することができる。このような機械がスイッチオンまたはスイッチオフされると、吸引ユニット７５が作動し、または再びスイッチオフされる。相応の圧縮空気センサは、このようなケースでは接続装置に存在する。接続装置は貫流装置であってよく、すなわち圧縮空気が一方では集塵機７０に送り込まれ、他方では、図面には示さない圧縮空気式機械からいわばタップ出しされる。圧縮空気式機械または電源式機械（工作機械２０Ｃ）がスイッチオンされ、集塵機７０と結合されているとき、このことは最高の優先順位を有する。中程度の優先順位を有するのは、通信モジュール３００およびコンフィグレーション装置５００であり、切換部材７８も同様である。
【０１９５】
もっとも低い優先順位を有するのは蓄電池式機械であり、ないしはエネルギー蓄積器モジュールを備えている工作機械２０Ａ，２０Ｃである。
【０１９６】
認証を解消するために、ないしは制御接続Ｓ１−Ｓ６を終了するために、それぞれのエネルギー供給の終了によってそれがリリースされることが意図されていてよいのが好ましい。すなわち、たとえばエネルギー蓄積器モジュール４０Ａ，４０Ｂが工作機械２０Ａ，２０Ｂから分断されると、制御接続Ｓ１またはＳ２が自動的に終了する。コンフィグレーションモジュール３００のエネルギー供給部３１０が外されたときにも、集塵機７０での認証が自動的に解消される。このとき、このような分断がなされたときにエネルギー蓄積器モジュール４０または工作機械２０が、吸引ユニット７５をスイッチオフするための切換コマンドをさらに送信すると好ましい。
【０１９７】
エネルギー供給が終了したと、たとえばエネルギー供給部３１０が外されたとき、遠隔操作は、たとえば通信モジュール３００またはコンフィグレーション装置５００は、外部通信装置１００またはワイヤレスインターフェース６０に新たな識別子でログオンするのが好都合である。このようにして、たとえば新たな暗号化をセットアップすることができる。新たな識別子が存在しているとき、すなわち、たとえば新たなアドレス識別記号が存在しているとき、両方の通信パートナーは新たな暗号化パラメータを交付する準備が整っている。互いに競合するワイヤレス通信インターフェース６０、６０Ｃが、集塵機７０または外部通信装置１００との制御接続を成立させようとしているときは、たとえばそのつど最初にログオンしたワイヤレス通信インターフェース６０が受け付けられる。すなわち、外部通信装置１００の動作準備完了モード中に、たとえば工作機械２０Ａの切換部材２４が工作機械２０Ｃの切換部材２４よりも前に押されると、制御接続Ｓ１が優先的に成立する。
【０１９８】
さらに、競合する機械においては、受信をする外部通信装置１００の近くにあるほうの機械が制御接続を成立させることができるのが好ましい。これはたとえば図１の実施例では、制御接続Ｓ１を成立させようとしているエネルギー蓄積器モジュール４０Ａである。たとえばワイヤレス通信インターフェース６０はログオンメッセージ４４０に、それがログオンメッセージ４４０を送信する信号強度を含んだ信号強度情報４４８を書き込むことができる。
【０１９９】
外部通信装置１００は信号強度を測定するセンサ１１１を用いて、ログオンメッセージ４４０が受信された信号の強度を測定し、信号強度情報４４８と比較することができる。そして、そこから制御装置８６はコンポーネント４０Ａと１００の間の距離の値を判定することができる。
【０２００】
一方、ワイヤレス通信インターフェース６０Ｃまたはエネルギー蓄積器モジュール４０Ｂは外部通信装置１００から遠く離れており、すなわち劣位に扱われる。
【０２０１】
信号強度情報４４８がログオンメッセージ４４０に含まれていることも可能である。このような状況では、センサ１１１はログオンメッセージ４４０の信号強度をたとえば閾値と比較する。
【０２０２】
さらに、センサ１１１はたとえばエネルギー蓄積器モジュール４０Ａおよび４０Ｂのログオンメッセージ４４０の信号強度を直接的に相互に比較し、高いほうの信号強度を有するログオンメッセージ４４０に対してのみ、またはそのほうに対して先に、すなわち短い応答時間で反応することが可能である。
【０２０３】
外部通信装置１００に近いほうに配置された通信パートナーの優先性は、たとえば外部通信装置１００がそれぞれ異なる応答時間を設定することを意図することができる。このことが図１６に図示されている。たとえば応答時間ＡＳ（ｔ）が、センサ１１１が測定した信号強度Ｓに依存して増減する。たとえば外部通信装置１００は、比較的強い信号強度を有するエネルギー蓄積器モジュール４０Ａのログオンメッセージ４４０に対して、エネルギー蓄積器モジュール４０Ｂの相応のログオンメッセージ４４０に対してよりも迅速に反応して応答メッセージ４４５を送信することができる。
【０２０４】
外部通信装置１００の記憶装置１１８に保存されている通信パラメータが、たとえばアドレス識別記号４４６および４４６Ｃやこれに割り当てられた暗号化パラメータ４５１，４５１Ｃが、事前設定された時間後に、および／またはエネルギー供給部から完全に分断された後に消去されると好ましい。移動型の器具すなわちたとえばエネルギー蓄積器モジュール４０Ａ，４０Ｂにおいても、事前設定された時間後に、および／またはエネルギー供給部の分断後に、通信パラメータが記憶装置４８から消去されると好ましい。
【０２０５】
さらに、移動型の器具すなわち工作機械２０やエネルギー蓄積器モジュール４０の認証が外部通信装置において消去されることが可能であり、すなわち、それぞれの工作機械２０のエネルギー蓄積器モジュール４０が集塵機７０をスイッチオンしているが、たとえば切換部材７８や電源式工作機械２０Ｃなどの他の機能が集塵機を再びスイッチオフしているときには、制御接続Ｓ１，Ｓ２が消去されたものとみなされる。
【０２０６】
さらに、制御接続を構築することができる移動型の器具における通信パラメータが充電プロセスとの関連でリセットされると好都合であり、すなわち、たとえばエネルギー蓄積器モジュール４０が充電器具２２０に接続されるとパラメータ４４１，４５１が消去される。
【０２０７】
通信モジュール３００のログオン操作部材を相応に操作することで、たとえば相応に長く押すことで、たとえばソフトウェアアップデートなどのために、通信モジュール３００とコンフィグレーション装置５００の間のワイヤレス通信接続を成立させることもできる。
【０２０８】
図１５に示すシステムは、電源接続式の工作機械またはエネルギー蓄積器モジュール４０Ｄにより作動可能な工作機械である工作機械２０Ｄを含んでいる。エネルギー蓄積器モジュール４０Ｄ、ならびに集塵機８７０を作動させるのに適した別のエネルギー蓄積器モジュール８４０は、機能的にたとえばエネルギー蓄積器モジュール４０Ｂに相当する。設計形態も、図面から明らかなとおり同一である。
【０２０９】
工作機械２０Ｄは、たとえば工作物Ｗを研削するための研削器具である。吸引ホース１５と接続部品１７を用いて、工作機械２０Ｄを集塵機８７０に、すなわち吸引取込部８７２に接続可能である。
【０２１０】
集塵機８７０は、スタックボックスに配置された積み重ね可能な集塵機である。これはたとえば箱型の集塵機８７１であって、たとえば手動工具、工作機械、たとえば工作機械２０Ｄなどを保管するための容器も含むスタックの上、下、または中へ、上から、下から、または中から積み重ね可能である。このような種類のスタックを形成するための結合コンポーネントについては詳しくは立ち入らない。たとえば集塵機ハウジング８７１の前面に、上および／または下に積み重ねられる容器と連結するための複数の連結部材８０１、たとえば連結金具、ロックボルトなどを見ることができる。
【０２１１】
蓋によって閉止可能である集塵機ハウジング８７１の内部に、吸引ユニット７５と同じ形式の吸引ユニット８７５が配置されている。さらに、そこにはフィルタ８７４ならびに汚物収集室８７３が、特に集塵機ハウジング８７１から引出し可能な容器の中にある。集塵機ハウジング８７１の外面または内部空間には、エネルギー蓄積器モジュール８４０の器具インターフェース５０と適合する器具インターフェース８３０が設けられており、それにより、集塵機８７０をエネルギー蓄積器モジュール８４０によって作動可能である。
【０２１２】
そしてエネルギー蓄積器モジュール８４０は、エネルギー蓄積器モジュール４０Ｄと直接的に通信することができる。たとえば工作機械２０Ｄはそのエネルギー蓄積器モジュール４０Ｄを通じてエネルギー蓄積器モジュール８４０Ｄを制御することができ、これがさらに集塵機８７０を吸引ユニット８７５のスイッチオンおよび／またはスイッチオフのために制御する。このとき通信は、それぞれの第１および第２のシステムコンポーネントの間の、すなわち工作機械２０Ｄとエネルギー蓄積器モジュール４０Ｄならびに集塵機８７０とエネルギー蓄積器モジュール８４０の間の、すでに説明したデータインターフェース３４，５４を通じて行われる。ここで付言しておくと、たとえばログオンメッセージ４４０を用いたログオンが図１５に示すシステムの場合にも可能である。あるいはすでにエネルギー蓄積器モジュール４０Ｄおよび８４０が、相互の通信のために認証された通信ペアとなることも可能である。このように、集塵機と工作機械の間の制御接続を成立させるために、いかなる操作者の介入も必要ない。
【０２１３】
工作機械２０および／または充電器具２２０は供給電圧ＵＢ１または供給電圧ＵＢ２を定期的または周期的にスイッチオンすることが可能であり、それによりエネルギー蓄積器モジュール４０は、自身が工作機械２０ないし充電器具２２０と接続されていることを認識し、それは特に、工作機械２０と接合されるケースで工作機械がスイッチオフされたときにもたとえば集塵機６０との相応の制御接続を維持するためであり、または、充電器具２２０と接続されるケースでこの種の制御接続を成立させないためである。
【０２１４】
１つの好ましいコンセプトは、エネルギー蓄積器モジュール４０および／またはコンフィグレーション装置５００および／または少なくとも１つの通信モジュール３００が、集塵機６０または外部通信装置１００ですでに認証が存在する場合には、いわば保存されている当該集塵機との接続をあらためて最初に開始することを意図する。このケースでは認証がすでに存在する。このようなケースでは、ブロードキャスト送信器識別記号４４ｘを含むログオンメッセージ４４０はいわば不要であり、すなわちログオンメッセージは、原則として受信準備が整っている複数の集塵機にではなく、集塵機７０のみに向けられる。このケースではログオンメッセージ４４０は集塵機７０のアドレス識別記号を含むのが好ましく好都合である。
【図１】
2020522969.tif 000003
【図２】
2020522969.tif 000004
【図３】
2020522969.tif 000005
【図４】
2020522969.tif 000006
【図５】
2020522969.tif 000007
【図６】
2020522969.tif 000008
【図７】
2020522969.tif 000009
【図８】
2020522969.tif 000010
【図９】
2020522969.tif 000011
【図１０】
2020522969.tif 000012
【図１１】
2020522969.tif 000013
【図１２】
2020522969.tif 000014
【図１３】
2020522969.tif 000015
【図１４】
2020522969.tif 000016
【図１５】
2020522969.tif 000017
【図１６】
2020522969.tif 000018
【国際調査報告】
2020522969.tif 000019
2020522969.tif 000020
2020522969.tif 000021
2020522969.tif 000022
2020522969.tif 000023